(57)【特許請求の範囲】
【請求項１】
ワイヤレス通信のための方法であって、
基地局とリレーノードとの間で使用するための免許不要の共有チャネルを選択することと、
前記共有チャネルで、第１の情報のセットを、前記基地局から前記リレーノードへと送ることと、
免許が付与されたレガシーワイヤレスチャネルで、第２の情報のセットを、前記基地局から前記リレーノードへと送ることと
を備え、前記第１の情報のセットは、短い待ち時間のチャネルを要求する情報を備え、前記第２の情報のセットは、長い待ち時間のチャネルに適した情報を備える、方法。
【請求項２】
前記第１の情報のセットは、リレーノードバックホール情報と、リレーノード制御情報と、リレーノード無線ベアラデータとのうちの１つを含む、
請求項１に記載の方法。
【請求項３】
前記レガシーワイヤレスチャネルは、リソース分割を使用して、アクセスリンクとバックホールリンクの両方を提供するためのものである、
請求項１に記載の方法。
【請求項４】
前記共有チャネルは、ホワイトスペース（ＷＳ）チャネルと、認可共有マルチユーザ（ＡＳＭ）チャネルと、計測、科学、および測定用（ＩＳＭ）チャネルとのうちの１つを含む、
請求項１に記載の方法。
【請求項５】
前記第１の情報のセットは、しきい値を上回るデータレートをサポートするチャネルを要求する情報を備える、
請求項１に記載の方法。
【請求項６】
前記共有チャネルで第３の情報のセットを前記リレーノードから受信することと、
前記レガシーワイヤレスチャネルで第４の情報のセットを前記リレーノードから受信することと
をさらに備え、前記第３および第４の情報のセットは、それぞれ前記第１および第２の情報のセットについてのフィードバック情報である、請求項１に記載の方法。
【請求項７】
命令を備えるコンピュータプログラムであって、前記命令は、コンピュータに、
基地局とリレーノードとの間で使用するための免許不要の共有チャネルを選択させ、
前記共有チャネルで、第１の情報のセットを、前記基地局から前記リレーノードへと送らせ、
免許が付与されたレガシーワイヤレスチャネルで、第２の情報のセットを、前記基地局から前記リレーノードへと送らせる
ための命令であり、前記第１の情報のセットは、短い待ち時間のチャネルを要求する情報を備え、前記第２の情報のセットは、長い待ち時間のチャネルに適した情報を備える、コンピュータプログラム。
【請求項８】
ワイヤレス通信のための装置であって、
命令を記憶するメモリを備え、前記命令は、少なくとも１つのプロセッサに、
基地局とリレーノードとの間で使用するための免許不要の共有チャネルを選択し、
前記共有チャネルで、第１の情報のセットを、前記第１の局から前記リレーノードへと送り、
免許が付与されたレガシーワイヤレスチャネルで、第２の情報のセットを、前記基地局から前記リレーノードへと送る
ことを行わせ、前記第１の情報のセットは、短い待ち時間のチャネルを要求する情報を備え、前記第２の情報のセットは、長い待ち時間のチャネルに適した情報を備える、装置。
【請求項９】
前記共有チャネルは、ホワイトスペース（ＷＳ）チャネルと、認可共有マルチユーザ（ＡＳＭ）チャネルと、計測、科学、および測定用（ＩＳＭ）チャネルとのうちの１つを含む、
請求項８に記載の装置。
【請求項１０】
ワイヤレス通信のための装置であって、
基地局とリレーノードとの間で使用するための免許不要の共有チャネルを選択するための手段と、
前記共有チャネルで、第１の情報のセットを、前記第１の基地局から前記リレーノードへと送るための手段と、
免許が付与されたレガシーワイヤレスチャネルで、第２の情報のセットを、前記第１の基地局から前記リレーノードへと送るための手段と
を備え、前記第１の情報のセットは、短い待ち時間のチャネルを要求する情報を備え、前記第２の情報のセットは、長い待ち時間のチャネルに適した情報を備える、装置。
【請求項１１】
前記第１の情報のセットは、リレーノードバックホール情報と、リレーノード制御情報と、リレーノード無線ベアラデータとのうちの１つを含む、
請求項１０に記載の装置。
【請求項１２】
前記共有チャネルは、ホワイトスペース（ＷＳ）チャネルと、認可共有マルチユーザ（ＡＳＭ）チャネルと、計測、科学、および測定用（ＩＳＭ）チャネルとのうちの１つを含む、
請求項１０に記載の装置。
【請求項１３】
ワイヤレス通信のための方法であって、
リレーノードにおいて、使用される免許不要の共有チャネルを定義する情報を基地局から受信することと、
前記共有チャネルで、情報のセットを、前記リレーノードから前記基地局へと送ることと
を備え、前記情報のセットは、しきい値を下回る短い待ち時間をサポートするチャネルを要求する情報、または前記しきい値を上回るデータレートをサポートするチャネルを要求する情報を備える、方法。
【請求項１４】
前記情報のセットは、リレーノードバックホール情報と、リレーノード制御情報と、リレーノード無線ベアラデータとのうちの１つを含む、
請求項１３に記載の方法。
【請求項１５】
前記共有チャネルは、ホワイトスペース（ＷＳ）チャネルと、認可共有マルチユーザ（ＡＳＭ）チャネルと、計測、科学、および測定用（ＩＳＭ）チャネルとのうちの１つを含む、
請求項１３に記載の方法。
【請求項１６】
前記情報のセットの少なくとも一部を、前記リレーノードからユーザ機器（ＵＥ）へと送ることをさらに備える、
請求項１３に記載の方法。
【請求項１７】
前記情報のセットは、前記ＵＥに分配することを目的とした無線ベアラデータを含む、
請求項１６に記載の方法。
【請求項１８】
ユーザ機器（ＵＥ）から他の情報を受信することと、
前記共有チャネルを使用して前記基地局に前記他の情報の少なくとも一部を提供することと
をさらに備える、請求項１３に記載の方法。
【請求項１９】
命令を備えるコンピュータプログラムであって、前記命令は、コンピュータに、
リレーノードにおいて、使用される免許不要の共有チャネルを定義する情報を基地局から受信させ、
前記共有チャネルで、情報のセットを、前記リレーノードから前記基地局へと送らせる
ための命令であり、前記情報のセットは、しきい値を下回る短い待ち時間をサポートするチャネルを要求する情報、または前記しきい値を上回るデータレートをサポートするチャネルを要求する情報を備える、コンピュータプログラム。
【請求項２０】
ワイヤレス通信のための装置であって、
プロセッサによって実行される命令を記憶するメモリを備え、前記命令は、
リレーノードにおいて、情報を通信するために使用される免許不要の共有チャネルを定義する情報を基地局から受信し、
前記共有チャネルで、第１の情報のセットを、前記リレーノードから前記基地局へと送る
ことを備え、前記情報のセットは、しきい値を下回る短い待ち時間をサポートするチャネルを要求する情報、または前記しきい値を上回るデータレートをサポートするチャネルを要求する情報を備える、装置。
【請求項２１】
ワイヤレス通信のための装置であって、
リレーノードにおいて、情報を通信するために使用される免許不要の共有チャネルを定義する情報を基地局から受信するための手段と、
前記共有チャネルで、第１の情報のセットを、前記リレーノードから前記基地局へと送るための手段と
を備え、前記情報のセットは、しきい値を下回る短い待ち時間をサポートするチャネルを要求する情報、または前記しきい値を上回るデータレートをサポートするチャネルを要求する情報を備える、装置。
【請求項２２】
前記共有チャネルは、ホワイトスペース（ＷＳ）チャネルと、認可共有マルチユーザ（ＡＳＭ）チャネルと、計測、科学、および測定用（ＩＳＭ）チャネルとのうちの１つを含む、
請求項２１に記載の装置。
【請求項２３】
ユーザ機器（ＵＥ）から他の情報を受信するための手段と、
前記共有チャネルを使用して前記基地局に前記他の情報の少なくとも一部を提供するための手段と
をさらに備える、請求項２１に記載の装置。
【発明の詳細な説明】
【関連出願の相互参照】
【０００１】
本願は、２０１０年３月１７日に出願された、「免許不要スペクトラムによるセル間のベストエフォート無線バックホールのための方法および装置（METHOD AND APPARATUS FOR BEST-EFFORT RADIO BACKHAUL AMONG CELLS ON UNLICENSED SPECTRUM）」と題する、米国仮特許出願番号第６１／３１４，９４０号の、３５ Ｕ．Ｓ．Ｃ．§１１９（ｅ）の下での優先権を主張し、その全内容は、この引用によりすべての目的のためにここに組み込まれる。
【技術分野】
【０００２】
本願は一般的に、ワイヤレス通信システムに関する。より具体的には、本願は、コグニティブＬＴＥシステムのような通信システムにおいて、使用される免許不要スペクトラムまたは共有スペクトラムをシグナリングするバックホール通信を提供するための方法および装置に関するが、これに限定されるものではない。
【背景技術】
【０００３】
ワイヤレス通信システムが、音声、データ、映像、等といったさまざまなタイプの通信コンテンツを提供するために広く展開されているが、展開は、ロングタームエボリューション（ＬＴＥ）システムのような新しいデータ重視システムの導入に伴い、拡大する見込みである。ワイヤレス通信システムは、利用可能なシステムリソース（たとえば、帯域幅および送信電力）を共有することによって複数のユーザとの通信をサポートすることができる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、ＬＴＥシステム、および他の直交周波数分割多元接続（ＯＦＤＭＡ）システムを含む。
【０００４】
直交周波数分割多重（ＯＦＤＭ）通信システムは、全システム帯域幅を、周波数サブチャネル、トーン、または周波数ビンとも呼ばれ得る複数（ＮＦ）個のサブキャリアへと、効率よく分割する。ＯＦＤＭシステムの場合、まず、送信されるデータ（すなわち、情報ビット）が特定の符号化方式により符号化されて符号化されたビットが生成され、符号化されたビットがさらに、マルチビットシンボルにグループ化され、マルチビットシンボルがさらに、変調シンボルにマッピングされる。各変調シンボルは、データ送信のために使用される特定の変調方式（たとえば、Ｍ−ＰＳＫまたはＭ−ＱＡＭ）によって定義された信号コンステレーションにおける点に対応する。各周波数サブキャリアの帯域幅に依存し得る各時間間隔において、変調シンボルは、ＮＦ個の周波数サブキャリアの各々で送信されることができる。したがって、ＯＦＤＭは、システム帯域幅全体にわたる異なる減衰量によって特徴づけられる周波数選択性フェージングによって引き起こされるシンボル間干渉を抑制するために、使用されることができる。
【０００５】
一般的に、ワイヤレス多元接続通信システムは、（ユーザ機器（ＵＥ）またはアクセス端末（ＡＴ）とも呼ばれる）複数のワイヤレス端末の通信を、同時にサポートすることができる。各端末は、フォワードリンクおよびリバースリンクでの伝送により、（アクセスポイント（ＡＰ）とも呼ばれる）１つ以上の基地局と通信する。（下りリンクとも呼ばれる）フォワードリンクは、基地局から端末への通信リンクのことを言い、（上りリンクとも呼ばれる）リバースリンクは、端末から基地局への通信リンクのことを言う。これらの通信リンクは、単一入力単一出力（ＳＩＳＯ）、単一入力多出力（ＳＩＭＯ）、多入力単一出力（ＭＩＳＯ）、または多入力多出力（ＭＩＭＯ）システムを介して、確立されることができる。
【０００６】
デバイスの数が増加すると、免許が付与されたスペクトラムだけでなく、免許不要スペクトラムまたは共有スペクトラムでのデータおよび制御シグナリングのための適切な帯域幅の利用の必要性が、より重要となる。さらに、ＬＴＥのようなシステムでは、フェムトセルおよびピコセルといった小さなセルを管理するための半自律的な基地局（たとえば、フェムトノードおよびピコノード）の導入により、既存の基地局との干渉の回避だけでなく、さまざまなチャネル、たとえば、ホワイトスペースチャネル（white space channel）、認可共有マルチユーザ（ＡＳＭ：authorized shared multiuser）チャネル、計測、科学、および測定用（ＩＳＭ：instrumentation scientific and measurement）チャネル、または他の共有チャネルであり得る、免許不要チャネルまたは共有チャネルの割り当ておよび管理が、ますます重要となり得る。
【発明の概要】
【０００７】
本願は一般的に、通信システムにおいて、使用される共有スペクトラムおよび共有チャネルをシグナリングするバックホール通信を提供するための方法および装置に関する。
【０００８】
たとえば、一態様において、本開示は、ワイヤレス通信のための方法に関する。この方法は、第１のワイヤレスノードと第２のワイヤレスノードとの間の第１のバックホールチャネルとして使用するための共有チャネルを選択することを含み得る。この方法はさらに、第１のバックホールチャネルで、第１のバックホール情報のセットを、第１のワイヤレスノードから送ることを含み得る。この方法はさらに、第１のワイヤレスノードと第２のワイヤレスノードとの間で確立された第２のバックホールチャネルで、第２のバックホール情報のセットを、第１のワイヤレスノードから送ることを含み得る。
【０００９】
別の態様において、本開示は、ワイヤレス通信のための方法に関する。この方法は、第１のバックホールチャネルで第１のワイヤレスノードによって提供された第１のバックホール情報のセットを受信することを含むことができ、第１のバックホールチャネルは、共有チャネルで提供される。この方法はさらに、第２のバックホールチャネルで第１のワイヤレスノードによって提供された第２のバックホール情報のセットを受信することを含むことができ、第２のワイヤレスバックホールチャネルは、レガシーバックホールチャネルである。この方法はさらに、受信された第１のバックホール情報のセットに少なくとも部分的に基づいて、第２のワイヤレスノードからの送信を調整することを含み得る。
【００１０】
別の態様において、本開示は、ワイヤレス通信のための方法に関する。この方法は、第１のワイヤレスノードと第２のワイヤレスノードとの間で確立された第１のバックホールチャネルで、第１のバックホール情報を、第１のワイヤレスノードから送ることを含み得る。この方法はさらに、第１のワイヤレスノードにおいて、第２のワイヤレスノードからのバックホール送信協調情報を受信することを含み得る。この方法はさらに、第１のワイヤレスノードと第２のワイヤレスノードとの間で確立された第２のバックホールチャネルで、第２のバックホール情報を、第１のワイヤレスノードから送ることを含み得る。
【００１１】
別の態様において、本開示は、ワイヤレス通信のための方法に関する。この方法は、基地局とリレーノードとの間で使用するための共有チャネルを選択することを含み得る。この方法はさらに、共有チャネルで、第１の情報のセットを、第１の基地局からリレーノードへと送ることを含み得る。この方法はさらに、レガシーワイヤレスチャネルで、第２の情報のセットを、第１の基地局からリレーノードへと送ることを含み得る。
【００１２】
別の態様において、本開示は、ワイヤレス通信のための方法に関する。この方法は、リレーノードにおいて、使用される共有チャネルを定義する情報を基地局から受信することを含み得る。この方法はさらに、共有チャネルで、情報のセットを、リレーノードから基地局へと送ることを含み得る。
【００１３】
他の態様において、本開示は、上述された方法をコンピュータに実行させるための命令を記憶したコンピュータ読取可能な媒体を含むコンピュータプログラム製品に関する。
【００１４】
さらなる他の態様において、本開示は、上述された方法を実行するように構成された装置に関する。
【００１５】
他の態様において、本開示は、上述された方法を実行するための手段を含む装置に関する。
【００１６】
さまざまなさらなる態様、詳細、特徴、機能、実現、および実施形態が、付属の図面と関連して下記においてさらに説明される。
【図面の簡単な説明】
【００１７】
本願は、付属の図面と関連して説明される下記の詳細な説明に関連して、より十分に理解され得る。
【図１】図１は、ワイヤレス通信システムを示す図である。
【図２】図２は、基地局と複数のＵＥとを含むワイヤレス通信システムを示す図である。
【図３】図３は、ＵＥと通信するために、ホワイトスペースチャネルのような共有チャネルを使用するコグニティブ無線システムを示す図である。
【図４】図４は、基地局ノード間で、ある特定のバックホール情報を提供するために、共有チャネルを使用する通信システムを示す図である。
【図５】図５は、基地局ノード間で、ある特定のバックホール情報を含むブロードキャスト通信を提供するために、共有チャネルを使用する通信システムを示す図である。
【図６】図６は、基地局ノード間で、ある特定のバックホール情報を含むポイントツーポイント通信を提供するために、共有チャネルを使用する通信システムを示す図である。
【図７】図７は、ある特定のバックホール情報を生成し、共有チャネルを使用して送るように構成された基地局を示す図である。
【図８】図８は、共有チャネルを使用して、ある特定のバックホール情報を受信し、その情報に基づいて送信を制御するように構成された基地局を示す図である。
【図９】図９は、共有チャネルを使用して、第１のネットワークノードから第２のネットワークノードへと、ある特定のバックホール情報を提供するための処理を示す図である。
【図１０】図１０は、第２のネットワークノードにおいて、第１のネットワークノードから提供されたある特定のバックホール情報を受信し、その情報に基づいて送信を制御するための処理を示す図である。
【図１１】図１１は、基地局間の協調バックホール通信のための処理を示す図である。
【図１２】図１２は、リレーノードを含むワイヤレス通信システムを示す図である。
【図１３】図１３は、共有チャネルを使用して、リレーノードにバックホール情報を提供するための処理を示す図である。
【図１４】図１４は、共有チャネルを使用して、リレーノードからバックホール情報を提供するための処理を示す図である。
【図１５】図１５は、送信機システムと受信機システムとを示す図である。
【詳細な説明】
【００１８】
さまざまな実施形態が図面を参照して下記に説明されるが、同一の参照番号は、全体を通して同一の要素を意味するために使用される。下記の説明では、説明の目的で、さまざまな特定の詳細が、１つ以上の実施形態の完全な理解を提供するために説明される。しかしながら、（単数または複数の）そのような実施形態がこれらの特定の詳細なしで実現され得ることは明らかであり得る。他の例において、周知の構造およびデバイスは、１つ以上の実施形態の説明を容易にするために、ブロック図の形態で示される。
【００１９】
さまざまな実施形態において、ここに説明される技法および装置は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワーク、ＬＴＥネットワークといったワイヤレス通信ネットワークだけでなく、他の通信ネットワークのためにも使用されることができる。ここで説明される場合、「ネットワーク」および「システム」という用語は、同義で用いられ得る。
【００２０】
さまざまなさらなる態様および詳細が下記に説明される。ここでの教示が広くさまざまな形態で具現化され得ること、ここに開示されている任意の特定の構造、機能、またはその両方は単に代表的なものにすぎないことが理解されるべきである。ここでの教示に基づき、当業者は、ここに開示された態様が、任意の他の態様と独立して実現され得ること、これらの態様のうちの２つ以上が、さまざまな手法で組み合わされ得ることを理解すべきである。たとえば、ここに説明される任意の数の態様を使用して、装置が実現されることができ、または、方法が実現されることができる。さらに、他の構造および機能、または、ここに説明される態様のうちの１つ以上以外の、または、それらに追加された、構造および機能を使用して、そのような装置が実現されることができ、または、そのような方法が実現されることができる。さらに、ある態様は、ある請求項の少なくとも１つの要素を備えることができる。
【００２１】
「例示的」という用語は、本明細書では、「例、事例、または実例としての役割を果たす」という意味で用いられる。「例示的」なものとしてここに説明される任意の態様および／または実施形態は、必ずしも、他の態様および／または実施形態よりも好ましい、または利点を有するものと解釈されるべきではない。
【００２２】
本願で用いられる場合、「コンポーネント」、「モジュール」、「システム」、等の用語は、ハードウェア、ファームウェア、ハードウェアとソフトウェアとの組み合わせ、ソフトウェア、または実行中のソフトウェアといったコンピュータ関連のエンティティを指すものとする。たとえば、コンポーネントは、プロセッサで実行中の処理、プロセッサ、オブジェクト、実行ファイル、実行スレッド、プログラム、および／またはコンピュータであることができるが、これらに限定されるものではない。例示として、コンピューティングデバイスで実行中のアプリケーションとコンピューティングデバイスの両方が、コンポーネントであることができる。１つ以上のコンポーネントが、処理および／または実行スレッド内に存在することができ、１つのコンポーネントが、１つのコンピュータに局所化されることができ、および／または、２つ以上のコンピュータ間で分散されることができる。さらに、これらのコンポーネントは、さまざまなデータ構造が記憶された、さまざまなコンピュータ読取可能な媒体から実行されることができる。コンポーネントは、たとえば、１つ以上のデータパケット（たとえば、ローカルシステム、分散システムにおいて別のコンポーネントと、および／または、インターネットのようなネットワークにわたって他のシステムと、信号によってインタラクトする１つのコンポーネントからのデータ）を有する信号による、ローカル処理および／またはリモート処理によって、通信することができる。
【００２３】
ＣＤＭＡネットワークは、ユニバーサル地上無線アクセス（ＵＴＲＡ）、ｃｄｍａ２０００、等といった無線技術を実現することができる。ＵＴＲＡは、広帯域ＣＤＭＡ（Ｗ−ＣＤＭＡ）およびローチップレート（ＬＣＲ）を含む。ｃｄｍａ２０００は、ＩＳ−２０００、ＩＳ−９５、およびＩＳ−８５６標準をカバーする。ＴＤＭＡネットワークは、移動体通信のための全世界システム（ＧＳＭ（登録商標））のような無線技術を実現することができる。
【００２４】
ＯＦＤＭＡネットワークは、エボルブドＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ、等といった無線技術を実現することができる。ＵＴＲＡ、Ｅ−ＵＴＲＡ、およびＧＳＭは、ユニバーサル・モバイル・テレコミュニケーション・システム（ＵＭＴＳ）の一部である。特に、ＬＴＥは、Ｅ−ＵＴＲＡを使用するＵＭＴＳの最新リリースである。ＵＴＲＡ、Ｅ−ＵＴＲＡ、ＧＳＭ，ＵＭＴＳ、およびＬＴＥは、「第３世代パートナーシッププロジェクト」（３ＧＰＰ）と称する組織によって提供された文書において説明されており、ｃｄｍａ２０００は、「第３世代パートナーシッププロジェクト２」（３ＧＰＰ２）と称する組織による文書において説明されている。これらのさまざまな無線技術および標準は、当該技術で周知であり、または開発中である。たとえば、３ＧＰＰは、グローバルに適用可能な第３世代モバイルフォン規格を定義することを目的とした、電気通信協会のグループ間のコラボレーションである。３ＧＰＰ ＬＴＥは、ＵＭＴＳモバイルフォン標準を改良することを目的とした３ＧＰＰプロジェクトである。３ＧＰＰは、次世代のモバイルネットワーク、モバイルシステム、およびモバイルデバイスのための規格を定義し得る。明確にするために、装置および方法のある特定の態様は、下記において、ＬＴＥの実現のために説明され、ＬＴＥの専門用語が下記の説明のほとんどで用いられるが、この説明は、ＬＴＥに限定されることを意図するものではない。したがって、ここに説明される装置および方法が、さまざまな他の通信システムおよび応用例に適用され得ることは、当業者にとって明らかであろう。
【００２５】
シングルキャリア周波数分割多元接続（ＳＣ−ＦＤＭＡ）は、シングルキャリア変調および周波数領域等化を利用する。ＳＣ−ＦＤＭＡ信号は、その固有のシングルキャリア構造により、より低いピーク対平均電力比（ＰＡＰＲ）を有する。ＳＣ−ＦＤＭＡは、より低いＰＡＰＲが送信電力効率の点でＵＥにとって非常に有利である上りリンク通信において特に、大きく注目されている。それは、ＬＴＥの上りリンク多元接続方式に使用されている。
【００２６】
ＭＩＭＯシステムは、データ伝送のために、複数（ＮＴ）個の送信アンテナ、および複数（ＮＲ）個の受信アンテナを用いる。ＮＴ個の送信アンテナおよびＮＲ個の受信アンテナによって形成されたＭＩＭＯチャネルは、空間チャネルとも呼ばれるＮＳ個の独立チャネルに分解されることができる。線形受信機が使用された場合の最大空間多重ＮＳは、ＮＴとＮＲのうちの小さい方であり、ＮＳ個の独立チャネルの各々は、一次元に対応する。これは、ＮＳ倍のスペクトル効率の増加を提供する。ＭＩＭＯシステムは、複数の送信アンテナおよび受信アンテナによって作られたさらなる次元が利用された場合、向上したパフォーマンス（たとえば、より高いスループットおよび／またはより高い信頼性）を提供することができる。特別な次元は、ランクの観点で説明され得る。
【００２７】
ＬＴＥにおいて、時間周波数物理リソースブロック（ここでは、略してリソースブロックまたは「ＲＢ」とも表記される）は、ＯＦＤＭシステムにおいて、搬送データに割り当てられた搬送キャリア（たとえば、サブキャリア）または搬送間隔のグループとして定義されることができる。ＲＢは、時間および周波数期間にわたって定義される。リソースブロックは、スロットにおける時間および周波数のインデックスによって定義され得る、時間周波数リソース要素（ここでは、略してリソース要素または「ＲＥ」とも表記される）からなる。
【００２８】
ＬＴＥは、２０ＭＨｚから、下は１．４ＭＨｚまでのスケーラブルなキャリア帯域幅をサポートする。ＬＴＥにおいて、ＲＢは、サブキャリアの帯域幅が１５ｋＨｚである場合には１２個のサブキャリアとして、または、サブキャリアの帯域幅が７．５ｋＨｚである場合には２４個のサブキャリアとして、定義される。例示的な実現では、時間領域において、各１ｍｓの１０個のサブフレームからなる、長さ１０ｍｓの定義された無線フレームが存在する。どのサブフレームも、２個のスロットからなり、各スロットは、０．５ｍｓである。この場合の周波数領域におけるサブキャリア間隔は、１５ｋＨｚである。これらのサブキャリアが１２個集まって１つのＲＢを構成するので、この実現において、１つのリソースブロックは、１８０ｋＨｚである。６個のリソースブロックが、１．４ＭＨｚのキャリアに適し、１００個のリソースブロックが、２０ＭＨｚのキャリアに適する。
【００２９】
ＬＴＥにおいて、モバイル局は、ＵＥと呼ばれることができる。ＵＥは、システム、サブスクライバユニット、サブスクライバ局、モバイル局、リモート局、リモート端末、アクセス端末、ワイヤレス通信デバイス、ユーザエージェント、またはユーザデバイスと呼ばれることもできる。ＵＥは、セルラ電話、セッション開始プロトコル（ＳＩＰ）電話、ワイヤレスローカルループ（ＷＬＬ）局、携帯情報端末（ＰＤＡ）、タブレット、ワイヤレス接続能力を有するハンドヘルドデバイス、コンピューティングデバイス、またはワイヤレスモデムに接続された他の処理デバイスであることができる。
【００３０】
ＬＴＥにおいて、基地局は、エボルブドノードＢ（ｅノードＢまたはｅＮＢ）と呼ばれることができる。基地局は、ＵＥと通信するために利用されることができる。基地局はまた、アクセスポイント、基地トランシーバ局、または何らかの他の専門用語で呼ばれることができる。半自律的な基地局は、ホームｅＮＢまたはＨｅＮＢと呼ばれることができる。ＨｅＮＢは、つまりｅＮＢの一例であり得る。ＨｅＮＢおよび／またはＨｅＮＢのカバレッジエリアは、フェムトセル、ＨｅＮＢセル、または（アクセスが限られた）クローズドサブスクライバグループ（ＣＳＧ）セルと呼ばれることができる。
【００３１】
ここで図１を参照すると、例示的な多元接続ワイヤレス通信システム１００が示されている。システム１００は、セル１０２、１０４、および１０６を含む複数のセルを含む。システム１００において、セル１０２、１０４、および１０６はそれぞれ、複数のセクタを含み得る対応する基地局（ｅＮＢとも呼ばれる）１４２、１４４、および１４６を含み得る。複数のセクタは、アンテナのグループによって形成されることができ、各アンテナは、セルの一部におけるＵＥと通信する役割を担う。たとえば、セル１０２において、アンテナのグループ１１２、１１４、および１１６は各々、異なるセクタに対応し得る。セル１０４において、アンテナのグループ１１８、１２０、および１２２は各々、異なるセクタに対応し得る。セル１０６において、アンテナのグループ１２４、１２６、および１２８は各々、異なるセクタに対応し得る。基地局１４２、１４４、および／または１４６は、ＬＴＥの仕様書において定義されたＳ１接続および／またはＸ２接続といったバックホール接続を使用して、互いに通信することができる。
【００３２】
セル１０２、１０４、および１０６は、いくつかのＵＥを含むことができ、それらのＵＥは、セル１０２、１０４、または１０６の各々の１つ以上のセクタと通信し得る。たとえば、ＵＥ１３０および１３２は、基地局１４２と通信することができ、ＵＥ１３４および１３６は、基地局１４４と通信することができ、ＵＥ１３８および１４０は、基地局１４６と通信することができる。システム１００は、ＵＥと基地局とコアネットワーク（ＣＮ）機能との間の通信および／または基地局間の通信を容易にするために使用されることができるシステムコントローラ要素１５０を含むことができる。
【００３３】
ここで図２を参照すると、一態様に係る多元接続ワイヤレス通信システムが示されている。（ｅＮＢとも呼ばれる）基地局２００は、複数のアンテナグループを含むことができ、これらのグループのうちの１つは２０４および２０６を含み、もう１つは２０８および２１０を含み、さらにもう１つは２１２および２１４を含む。図２では、各アンテナグループにつき２つのアンテナのみが示されているが、より多くのアンテナまたはより少ないアンテナが各アンテナグループのために利用されることができる。ＵＥ２１６は、アンテナ２１２および２１４と通信することができ、アンテナ２１２および２１４は、フォワードリンク２２０によってＵＥ２１６に情報を送信し、リバースリンク２１８によってＵＥ２１６から情報を受信し得る。ＵＥ２２２は、アンテナ２０６および２０８と通信することができ、アンテナ２０６および２０８は、フォワードリンク２２６によってＵＥ２２２に情報を送信し、リバースリンク２２４によってＵＥ２２２から情報を受信する。周波数分割複信（ＦＤＤ）システムでは、通信リンク２１８、２２０、２２４、および２２６は、通信のために異なる周波数を使用し得る。たとえば、フォワードリンク２２０は、リバースリンク２１８によって使用されるものとは異なる周波数を使用し得る。時分割複信（ＴＤＤ）システムでは、タイムスロットが、基地局と異なるＵＥとの間で共有され得る。
【００３４】
アンテナの各グループおよび／またはそれらが通信するように設計されたエリアは、しばしば、基地局のセクタと呼ばれる。アンテナのグループは各々、基地局２００によってカバーされたエリアのうちの、あるセクタにおけるＵＥと通信するように設計される。フォワードリンク２２０および２２６による通信において、基地局２００の送信アンテナは、異なるＵＥ２１６および２２２のためのフォワードリンクの信号対雑音比を改良して通信を改良するために、および／または、異なる基地局によってサービスされる他のＵＥといった他のノードに対する干渉を回避するために、ビームフォーミングを利用することができる。たとえば、そのカバレッジ全体にわたってランダムに分散したＵＥに送信するためにビームフォーミングを使用する基地局は、そのＵＥすべてに単一のアンテナによって送信する基地局よりも、近傍セルにおけるＵＥに対して少ない干渉を生じ得る。
【００３５】
図１および図２に示したさまざまなワイヤレスネットワークノード間のワイヤレス通信リンクは、免許が付与されたスペクトラムおよび／または有線接続を使用して実現され得る。加えて、さまざまな態様によると、下記においてさらに説明される共有ワイヤレス通信リンクを使用したワイヤレス接続が、さらに実現されることができる。
【００３６】
コグニティブ無線は一般的に、ワイヤレスネットワークまたはワイヤレスネットワークノードのいずれかが、他の、免許が付与されたユーザまたは免許が付与されていないユーザとの干渉を回避しながら、効率的な通信を提供するために、送信および／または受信パラメータを調整および変更する知能を含む、ワイヤレス通信システムのことを言う。このアプローチの実現は、たとえば、周波数スペクトラム、変調特性、ユーザの振る舞い、およびネットワークの状態といったパラメータを含む、動作無線環境の能動的なモニタと検知とを含むことができる。あるいは、またはさらに、コグニティブ無線の実現は、ネットワークノードに、他の潜在的なユーザに関連づけられた情報へのアクセスと、その情報に基づいた送信の調整とを可能にさせる、データベースまたは他のメカニズムを含むことができる。ＬＴＥシステムのような多元接続システムは、そのようなシステムによる使用のために免許が付与されたスペクトラムを超えて、さらなる利用可能なスペクトラムを利用するために、コグニティブ無線技術を使用することができる。
【００３７】
コグニティブ無線システムは、本開示の目的のために、複数のユーザが制限的または無制限のいずれかでスペクトラムを共有できるチャネルを意味する、共有スペクトラムまたは共有チャネルを使用することができる。一例は、下記においてさらに説明されるテレビジョンホワイトスペース（ＷＳ）である。ＷＳスペクトラムでは、複数のユーザのアクセスがサポートされ得るが、ＷＳの免許が付与されたユーザのような、ある特定のユーザが優先されることができ、干渉する可能性のある他の共有ユーザによる明け渡し（vacation）を要求することができる。共有スペクトラムの別の例は、米国における、計測、科学、および測定用（ＩＳＭ）帯域において定義されたスペクトラムであって、そのスペクトラムの規制上の制約内での平等なアクセスが許容されたスペクトラムである。共有スペクトラムはまた、他の同様の平等なアクセスのスペクトルの割り当てを含み得る。共有スペクトラムまたは共有チャネルの別の例は、複数のユーザに免許が付与され得る認可共有マルチユーザ（ＡＳＭ）スペクトラムにおけるチャネルであって、それら複数のユーザは、（無免許のユーザがその空間の使用を禁じられている一方で、）免許が付与された他のユーザとその空間を共有しなくてはならない。
【００３８】
コグニティブ無線システムにおいて用いられるスペクトラム検知技術は、プライマリユーザ、または、チャネル状況、干渉、等といった他の特徴の検出に基づいて、潜在的に使用可能なスペクトラムを検出するために使用されることができる。使用可能なスペクトラムが検出されると、それは、有害な干渉を最小化または防止しながら、（空いていれば）単独で、または、他のユーザが存在すると仮定すれば共有で、のいずれかで使用されることができる。たとえば、コグニティブ無線システムにおけるノードは、スペクトラムホールを検知するように構成されることができ、それは、プライマリユーザ（たとえば、存在する場合により高い優先順位または排他的な使用権を有する、共有スペクトラムの免許が付与されたユーザ）、または他のユーザ（たとえば、免許が付与されていない他のユーザ、共有免許が付与された他のユーザ、または、スペクトラムの共有を認可された他のユーザ）を検出することに基づき得る。
【００３９】
使用可能なスペクトラムが選択されると、それは、他者による使用を検出するために、および／または、チャネルを空けるために、さらにモニタされることができる。たとえば、より高い優先順位のユーザが基地局またはｅＮＢのようなコグニティブ無線ネットワークノードによって検出されると、救急サービス、ワイヤレスマイクロフォン、または、免許が付与された他のユーザまたは優先的な他のユーザといった、より高い優先順位の他のユーザのために、共有スペクトラムが空けられる必要があり、通信は他のチャネルに移される必要があり得る。
【００４０】
そのようなスペクトラム検知技法は、送信機の検出を含むことができ、ここにおいて、コグニティブ無線ノードは、プライマリユーザからの信号が、ある特定のスペクトラムに局所的に存在するかどうかを判定する能力を有する。これは、マッチドフィルタ／相関検出、エネルギーまたは信号レベル検出、または周期定常特徴検出（cyclostationary feature detection）といった技法によって行われ得る。プライマリユーザは、共有空間の免許が付与されたユーザのような、より高い優先順位のユーザであることができる。協調的な検出が使用されることもできる。このアプローチは、複数のコグニティブ無線ユーザからの情報がプライマリユーザの検出のために取り入れられる、スペクトラム検知方法に関する。干渉に基づいた検出方法、または他の検出方法もまた、利用可能なスペクトラムを検知するために使用されることができる。いくつかのケースでは、共有ユーザが、定期的に、たとえば、毎時間、毎日、または何らかの他のあらかじめ定義された時間間隔で、チャネルをモニタし、プライマリユーザが検出された場合にはチャネルを空けるという制約が、規制上の要求により課され得る。いくつかのケースでは、たとえば、救急サービスユーザがチャネルの使用を要求した場合、より速やかな明け渡しが要求され得る。
【００４１】
いくつかの実現において、共有ユーザは、使用されるスペクトラムの利用可能性を判定するために、米国における連邦通信委員会（ＦＣＣ）のような規制機関、または別の政府団体または民間団体によって提供され得る情報のデータベースにアクセスするように要求され得る。
【００４２】
コグニティブ無線システムは一般的に、ユーザおよび／またはネットワーク通信の要求を満足するために、利用可能な最良のスペクトラムを決定する機能を提供するコンポーネントを含む。たとえば、コグニティブ無線は、利用可能なスペクトラム帯域にわたる特定のサービス品質（ＱＯＳ）要求を満足するように、最良のスペクトラム帯域を決定することができる。これは、スペクトラム分析だけでなく、利用可能なスペクトラムを選択し、割り当てるためのスペクトラム決定処理をも含み得る、関連づけられたスペクトラム管理制御機能を要求する。
【００４３】
コグニティブ無線システムにおいて使用されるスペクトラムは一般的に共有されるので、システムユーザによって利用される動作周波数の変更、すなわち、「スペクトラムモビリティ」もまた考慮すべき事項である。そのような変更は一般的に、ノードを利用可能な最良の周波数帯域で動作させるようにすることと、他のスペクトラム／より良いスペクトラムへの遷移中にシームレスな通信を維持することとによって、動的に成し遂げられる。スペクトラムの共有は、公平なスペクトラムスケジューリング方法を提供することに関する。
【００４４】
したがって、コグニティブ無線の１つの重要な態様は、免許が付与されたスペクトラムの使用を、免許が付与されていないユーザによって共有することに関する。この共有スペクトラムの使用は、ＬＴＥシステムのような他のワイヤレス通信方法に組み込まれることができる。ある特定の態様によると、ホワイトスペースでは、免許が付与された他のチャネル（たとえば、ＧＳＭ、ＷＣＤＭＡ（登録商標）、ＬＴＥ、等のための、免許が付与されたスペクトラムおよびチャネル）のユーザもまた、免許が付与されたユーザまたはプライマリユーザ（ならびに、いくつかのケースでは、免許が付与されていない他のユーザ）に影響されながら、動作することができる。例示的な実施形態において、ＷＳスペクトラムおよびチャネルは、後に説明されるように、共有スペクトラムおよび共有チャネルとして使用されることができる。しかしながら、他の応用例では、ＩＳＭスペクトラム、ＡＳＭスペクトラム、または他のマルチユーザ共有スペクトラムといった異なる共有スペクトラムおよびチャネルが、代わりに使用されることができる。
【００４５】
ＷＳは一般的に、放送サービスまたは免許が付与された他のユーザに割り当てられた、局所的に使用されていない周波数、ならびに、隙間帯域のことを言う。たとえば、米国では、２００９年のデジタルテレビジョンへの移行が、上側の７００メガヘルツ帯（６９８〜８０６ＭＨｚ）における放置されたスペクトラムを作り出し、さらなるホワイトスペースが、デジタルテレビジョンのために引き続き使用されている５４〜６９８ＭＨｚ（テレビチャネル２〜５１）にも存在する。現在のプライマリユーザは、免許が付与された既存のチャネルのテレビジョン放送局、ワイヤレスマイクロフォンシステム、医療機器、または他のレガシーデバイスを含むことができる。２００８年、ＦＣＣは、このホワイトスペースの免許不要での使用を承認した。しかしながら、これらのいわゆる「ＴＶ帯域デバイス」は、５４〜６９８ＭＨｚの範囲内のテレビジョンチャネル間の空きチャネルまたはホワイトスペースにおいて動作するように要求され得る。
【００４６】
これらのデバイスを定義する規則が、２００８年１１月１４日に、ＦＣＣにより第２回報告書および命令において公開された。ＦＣＣの規則は、固定デバイスおよびパーソナル／ポータブルデバイスを定義している。固定デバイスは、空きＵＳ ＴＶチャネル２、５〜３６、および３８〜５１のいずれかを、１ワットまでの電力（４ワットまでのＥＩＲＰ）を用いて、使用することができる。それらは、これらのチャネルのいずれかで互いに、また、ＴＶチャネル２１〜５１ではパーソナル／ポータブルデバイスとも、通信することができる。固定デバイスは、位置を認識し、それらの位置において使用可能なチャネルのリストを検索するために、少なくとも毎日、ＦＣＣによって規定されたデータベースに照会しなくてはならず、レガシーワイヤレスマイクロフォン、映像アシストデバイス、または他のエミッタが存在しないことを確認するために、毎秒１回、スペクトラムを局所的にモニタすることも要求され得る。たとえば、信号送信が検出された場合、デバイスは、その送信が受信された全６ＭＨｚチャネルでは、どこでも送信しないように要求され得る。固定デバイスは、動作が許容され得ることをデータベースが示し、かつ、信号が局所的に検出されていないＴＶチャネル内でのみ送信することができる。
【００４７】
パーソナル／ポータブル局は、チャネル２１〜３６および３８〜５１でのみ動作することができ、近傍のテレビジョンチャネルに隣接するチャネルの場合には１００ｍＷのＥＩＲＰ電力または４０ｍＷの電力を用いて動作することができる。それらは、関連づけられた固定局からの許容され得るチャネルのリストを検索するか、または、より低い５０ｍＷのＥＩＲＰ出力電力を受け入れてスペクトラム検知のみを使用するか、のいずれかであり得る。
【００４８】
先に述べたとおり、既存のワイヤレスネットワークは、コグニティブ無線機能の追加と、ＷＳまたは他のチャネルといった共有チャネルの使用とによって、改良されることができる。一態様において、ＬＴＥシステムは、下記においてさらに説明されるコグニティブ無線機能を含むことができる。ここで使用される場合、レガシーＬＴＥシステムまたはシステムコンポーネントは一般的に、リリース８といった、より古いリリースの定義に基づいて動作するように構成されたシステムまたはコンポーネントのことを言う。共有またはＷＳイネーブルのデバイスは、たとえば、リリース９、リリース１０、または今後のリリースといった、より新しいリリースの下で動作するように構成され得る。より新しいこれらのリリースの下での実現は、ＬＴＥアドバンスト（ＬＴＥ−Ａ）システムおよびデバイスとして周知であり得る。一態様において、免許が付与されたスペクトラムとホワイトスペースのスペクトラムとの組み合わせは一般的に、全パフォーマンスまたはリソースの割り当てを最良のものとするために、検出、検知、測定、および／または管理される必要があり得る。
【００４９】
ここで図３を参照すると、ｅＮＢとＵＥとの通信のために、たとえばＵＨＦテレビジョンＷＳスペクトラムにおける、ＷＳチャネルまたは他の共有チャネルを利用するように構成されたコグニティブＬＴＥシステム３００が示されている。第１のセル３０３は、下りリンク（ＤＬ）および上りリンク（ＵＬ）の一方または両方で、ＷＳを利用するように構成されることができる。１つの実現において、ある特定の通信のために、免許が付与されたスペクトラムがＵＬに使用される一方で、ＷＳがＤＬに使用されることができる。たとえば、ＷＳイネーブルのｅＮＢ３１０は、第１のＵＥ３１６ならびに第２のＵＥ３１４と通信することができる。ＵＥ３１６が非ＷＳイネーブルのＵＥであり得る一方で、ＵＥ３１４はＷＳイネーブルであることができる。（ここで意味する場合、ＷＳイネーブルとは、一般的に、免許が付与されたスペクトラムに加えて、ホワイトスペースのような共有チャネルを利用するように構成されたネットワークデバイスのことを言う。）この例では、ｅＮＢ３１０とＵＥ３１６との間のＤＬ３１７およびＵＬ３１８は、免許が付与されたスペクトラムを使用するように構成されるのに対し、ｅＮＢ３１０とＵＥ３１４との間のＤＬ３１２は、ＷＳを使用するように構成されることができ、その一方で、ＵＬ３１３は、免許が付与されたスペクトラムを使用するように構成され得る。
【００５０】
別のセル３０５が、セル３０３に隣接し、ＤＬ３３３およびＵＬ３３４に免許が付与されたスペクトラムを使用してＵＥ３３２と通信するｅＮＢ３３０を用いて、構成されることができる。いくつかの状況において、ＵＥ３１４は、ｅＮＢ３３０の範囲内にあり得るので、ｅＮＢ３３０にアクセスしようとするＵＥ３１４による試みの影響を受け得る。いくつかの実現では、ここにおいて先に述べたようなＦＣＣの電力制限規制により、より低電力のノード（すなわち、ピコノードおよびフェムトノード）においてＷＳイネーブルの基地局（すなわち、ｅＮＢ、ＨｅＮＢ）を使用することが、所望され得る。図３に示したセルは、リソースの分割のような帯域幅の共有を利用し得る、異種ネットワークの一部であり得る。
【００５１】
先に述べたように、コグニティブネットワークにおけるデバイスによるＷＳの使用は、チャネル状況の検知を必要とする。ＴＶ帯域のＷＳにおいて動作するように構成されたＬＴＥコグニティブシステムのようなシステムにおいて、ＦＣＣの要求は、セカンダリデバイス（すなわち、無免許のユーザ）によって利用されているスペクトラムを、プライマリユーズがないかモニタすることと、プライマリユーザが検出された（たとえば、プライマリユーザが検知および検出された）場合のチャネルの明け渡しとを要求し得る。あるいは、またはさらに、ｅＮＢは、データベースに接続すること、および、共有チャネルに影響を及ぼし得る、基地局の近くにいる他のより高い優先順位のユーザについての情報にアクセスすることを要求され得る。
【００５２】
典型的なＷＳのプライマリユーズは、ＵＨＦテレビジョンチャネル、ワイヤレスマイクロフォン、または他のレガシーデバイスであり得る。さらに、他のセカンダリユーザとの協調が、共有を容易にするために所望され得る。たとえば、ＦＣＣの要求案は、新たなチャネルに切り替える前に３０秒間チャネルをチェックすること、少なくとも６０秒毎にプライマリユーザがいないかチャネルをモニタすること、プライマリユーザが検出された場合には２秒以内にチャネルを空けることを要求している。チェックしている間、どのネットワークデバイスの信号送信も行われないクワイエット期間が必要とされ得る。たとえば、ｅＮＢおよび３つの関連づけられたＵＥを有するＬＴＥネットワークでは、他のユーザが検出され得るように、これらのデバイスの４つすべてが、クワイエット期間中の送信を控えるように要求され得る。
【００５３】
本開示の態様は、たとえばコグニティブＬＴＥシステムにおいて、共有チャネルとともに、バックホールシグナリングのために、免許が付与されたスペクトラムを使用することに関する。これは、図３に示したＷＳチャネルのような共有スペクトラムを使用した基地局からｅＮＢへのシグナリングとともに行われることができ、および／または、１つ以上の基地局またはｅＮＢ間でのみ行われ得る。ここで図４を参照すると、ＷＳイネーブル（ここで意味する場合、ＷＳイネーブルとは、ＴＶ ＷＳチャネル、ＩＳＭチャネル、ＡＳＭチャネル、および／または他の共有チャネルを使用するような、先に説明された構成のうちのいずれかであり得る、共有チャネルを使用するように構成されたｅＮＢのことを言う）であり得る、関連づけられたｅＮＢ４１２を有するマクロセルであり得るセル４１０を含む、例示的なコグニティブＬＴＥシステム４００が示されている。
【００５４】
隣接セル４３０および関連づけられたｅＮＢ４３２は、ＬＴＥの仕様書において説明されたＸ２および／またはＳ１シグナリングといった従来のバックホールシグナリングを使用して、セル４１０のｅＮＢ４１２と通信することができる。いくつかの実現において、セル４３０は、フェムトセル、ピコセル、または他のセル構成であり得るが、例示の目的で、図４は、セル４１０が、図示のとおり、少なくともＵＥ４２０およびｅＮＢ４３２までの距離を含む範囲を有するマクロセルであるという仮定に基づいて説明される。ＵＥ４２０は、下りリンク４１７および上りリンク４１８を介してｅＮＢ４１２によってサービスされ得るが、基地局４３２の近くにあり得る。たとえば、ＵＥ４２０が、ｅＮＢ４１２から遠ざかるように移動しているが、ハンドオフされていない場合、または、セル４３０が、ＵＥ４２０が接続不可能であり得るクローズドサブスクライバグループ（ＣＳＧ）セルである場合、またはそうでなければ、ＵＥ４２０が、ｅＮＢ４３２およびセル４３０に接続され得ない場合がある。
【００５５】
ｅＮＢ４３０は、フェムトノード（たとえば、フェムトセルにおける基地局ノード）、ピコセル、マクロセル、または別のセルタイプであることができ、サービングセル４３０であることができる。ｅＮＢ４３２は、１つ以上のさらなるＵＥ（たとえば、ＵＥ４４０および他の図示されていないＵＥ）と通信し得る。１つの例示的な実施形態において、セル４３０はフェムトセルであり、ｅＮＢ４３２はフェムトノードである。ＵＥ４２０は、ｅＮＢ４３０の非常に近くにあり、および／または、ｅＮＢ４１０よりもｅＮＢ４３２から強い信号を受信し、それは干渉を引き起こし得る。たとえば、ｅＮＢ４３２からＵＥ４４０へのＤＬ４４２での送信は、ｅＮＢ４１２からのＤＬ４１７での送信に干渉し得る。
【００５６】
図４に示したような、異種ネットワーク（たとえば、１つ以上の電力レベルのマクロセル、フェムトセル、ピコセル、または他のセルタイプといった複数のタイプのセルおよび関連づけられた基地局を有するネットワーク）等において、セル間で起こり得る干渉に対処するために、協調マルチポイント送信／受信（ＣｏＭＰ：Coordinated Multipoint Transmit/Receive）技術が開発されている。ＣｏＭＰ技術は、干渉を緩和するためにＵＥへの送信をモニタおよび制御するためのセル間の協調を提供する。有線バックホール接続を用いた既存のＣｏＭＰ技術が説明されている。
【００５７】
しかしながら、これらの既存のバックホール接続は、さまざまな欠点を有する。たとえば、Ｘ２接続のような有線バックホール接続は、一般的に費用がかかり、最近のデータトラヒックや要求の増加と、満足のいくように釣り合わない。リレーノードの実現において一般的に使用されるＳ１接続のような、免許が付与されたスペクトラムでのワイヤレスバックホール通信は、ｅＮＢと関連づけられたＵＥとの間で進行中の通信と同一のスペクトラムを共有しなくてはならない。干渉を回避するために、リソースの分割といった方法が、ＵＥへの送信／ＵＥからの送信（たとえば、いわゆるアクセスリンク）とバックホールとの重複を回避するために開発されてきた。しかしながら、スペクトラムにはリソースが不足しているので、バックホール通信にスペクトラムを充てることは、多くの場合、ＵＥへの通信／ＵＥからの通信のために利用可能なスペクトラムの減少を必要とする。
【００５８】
免許が付与されたスペクトラムでのワイヤレスバックホールに関連づけられた、上記のような問題が生じ得るのは、ワイヤレスネットワークデバイスが、免許が付与されたスペクトラムを共有しなくてはならないからである。しかしながら、共有チャネルの利用可能性は、これらの共有チャネルをバックホールシグナリングのために使用することを可能にする。そのようなバックホールシグナリングは、干渉の緩和に関して上述した、基地局間の協調を容易にするための下りリンクＣｏＭＰ（ＤＬ−ＣｏＭＰ）シグナリングといった、さまざまなタイプのバックホールデータ通信のいずれかを含み得る。
【００５９】
共有チャネルおよび共有スペクトラムの使用は、他の既知のユーザまたは未知のユーザの可能性、および、それらが任意の時間にチャネルの使用を開始し得る可能性ゆえに、免許が付与されたスペクトラムよりも本質的に信頼性が低いものであり得る。したがって、それらは、免許が付与されたチャネルよりも本質的に信頼性が低い（ここでは、チャネルおよび干渉特性が、免許が付与された専用のチャネルよりも定かでないことを示す、「低信頼チャネル」とも呼ばれ得る）。結果的に、共有チャネルは、プライマリユーザまたは他のセカンダリユーザ（たとえば、コグニティブ能力があり、同一の免許不要チャネルを使用することを決定する、異なるワイヤレス無線技術）で、合法的に混雑し得る。したがって、免許不要チャネルは、停止期間（outage period）になりやすい。しかしながら、この問題は、競合するシステムの数に対し十分な免許不要チャネルを利用可能にする適切な動的周波数選択（ＤＦＳ：dynamic frequency selection）技術によって軽減されることができる。共有チャネルのバックホール通信は、２つのノード間の唯一の通信の手段としては不適切であり得るが、さまざまな態様において、それらは、他の、信頼性は高いがより費用のかかる、および／または、より長い待ち時間の、レガシーバックホール有線またはワイヤレスチャネルを補うために使用され得る。
【００６０】
たとえば、少なくとも１つの共有チャネル（たとえば、ホワイトスペース無線）送信機が各ｅＮＢにおいて利用可能であると仮定した場合、すべてのｅＮＢに共有チャネルＵＥ受信機を追加することにより、ＷＳチャネルが、標準ＤＬ ＬＴＥ波形または特定のタイプのバックホールデータ用にあつらえられた波形のいずれかを使用する２つのノード間の通信のために、使用されることができる。たとえば、（ジョイント送信がないと仮定して、）ＣｏＭＰによって使用される協調メッセージ、すなわち、スケジューリング決定、スケジューリングされたＵＥのチャネル状態情報（ＣＳＩ：channel state information）、スケジューリングされたＵＥの優先順位、等が、交換され得る。
【００６１】
これらのタイプのメッセージは、サブフレーム毎に速やかに交換されなくてはならないので、有線バックホールの待ち時間は、レガシー有線バックホール接続を使用することに対する大きな障害を提示する。一方、無線バックホールは、（一般的に極めてわずかであろう処理時間を無視した場合、）１サブフレームほどの短い待ち時間を有し得る。したがって、そのようなデータのシグナリングのために、上述した共有チャネルのような無線チャネルを使用することは、輻輳したネットワークにおいては特に、有線レガシーバックホール接続を使用しながら待ち時間を被るよりも、はるかに望ましい。
【００６２】
ＣｏＭＰのような応用例に適した典型的なバックホールデータは、下記のように特徴づけられ得る。まず、サブフレーム毎に交換されるデータ量は非常に限られているので、５ＭＨｚの無線バックホールチャネルによって提供される容量は、すべての協調メッセージを伝達するのに十分であり得る（待ち行列もなく、遅延もない）。最も信頼性の高いＬＴＥパケットフォーマットが常に、１つの単一の送信をターゲットにするように、使用されることができる（しかしながら、再送は遅延を増加させるだろう）。したがって、いくつかの実現において、２つ以上の送信は、遅延の観点から許容可能である場合、使用され得る。さらに、最も信頼性の高いパケットフォーマットを使用することと、非常に低いＳＮＲでの動作を可能にすることと、無線バックホールチャネルでのいずれの干渉をも回避するための干渉協調技術を提供することとを含む技術により、地理的に離れたｅＮＢ間での信頼性の高い通信が可能である。ｅＮＢは通常、ＵＥよりも望ましいアンテナ利得を有するであろうから、ｅＮＢ−ｅＮＢリンクは、ｅＮＢ−ＵＥよりも良好である。
【００６３】
２つのｅＮＢは、（それらのｅＮＢのうちの１つ、たとえば、マクロセルｅＮＢによってサービスされるが、）その両方からの強い信号に遭遇する被害ＵＥが存在する場合、協調するように要求されるだけであることができる。したがって、このシナリオでは、２つのｅＮＢ間のパスロスがそれほど大きいはずはないと仮定することが合理的である。
【００６４】
したがって、ある特定のタイプのバックホールのための共有スペクトラムの使用は、多数の潜在的な利点を提供する。たとえば、共有チャネルの無線バックホールは典型的に、ＣｏＭＰのような応用例にとって望ましい、非常に短い待ち時間を有するであろうが、共有チャネルにおけるプライマリおよびセカンダリの干渉者ゆえに、ことによると信頼性が低い。一方で、無線バックホールリンクが使用不可能となった場合、宛先ノードは、（たとえば、受信されたパケットのチャネル品質指標（ＣＱＩ：channel quality indicators）または巡回冗長検査（ＣＲＣ：cyclic redundancy check）を見ることによって）この状況を速やかに検出し、コグニティブ検知を実行し、近傍ｅＮＢに、チャネルを変更し、ＣｏＭＰ（この情報は、ソースノードのＭＡＣスケジューラによって使用され得る）が使用されることを想定するのを止めるように、（たとえば、レガシー有線またはレガシーワイヤレスバックホール接続を使用することによって）要求するように、構成されることができる。実現において、この処理には数百ｍｓかかり得るが、何のシステム停止も伴わない。ＣｏＭＰがネットワークおよびシステムのいくつかの部分において使用されないそれらの期間の間、新たな無線バックホールが再確立されるまで、しばらくの間、パフォーマンスがただ単に低下するだろう。
【００６５】
単一のＷＳチャネルによって提供される容量が、２つのｅＮＢ間で実際に交換されるデータ量よりもはるかに大きい場合（たとえば、上述されたＣｏＭＰシナリオにおける場合であり得る）、それは分割されることができ、各ポイントツーポイントリンクに、共有ホワイトスペースチャネルの一部が割り当てられることができる。分散または集中協調アルゴリズムのいずれかが、異なるポイントツーポイントリンク間の干渉を最小化する目的とともに、この割り当てを制御するためにも使用されることができる。
【００６６】
さらに、ｅＮＢにおけるコグニティブモデムの利用可能性、ホワイトスペースチャネルの利用可能性、有線バックホールの品質および輻輳に依存して、および／または、本明細書の他の箇所で説明された他のファクタに基づいて、有線バックホールとホワイトスペースワイヤレスバックホールの両方が、一緒に使用されることができる。たとえば、ネットワークのうちのいくつかの部分は有線バックホールに、他は共有チャネル／ホワイトスペース無線リンクに、依拠するよう構成されることができ、いくつかの他のノードは、たとえばバックホールの輻輳または他のファクタに依存して、一方の技術から他方の技術へと、動的に移行し得る。
【００６７】
コグニティブ協調アルゴリズムが、本明細書で説明したバックホールワイヤレスリンクにどのホワイトスペースチャネル（単数または複数）を使用すべきかを決定するために使用されることができる。ｅＮＢ間の協調は、バックホールワイヤレスリンクでの干渉を回避または軽減するために必要とされ得るが、（既存の高信頼バックホールリンクを活用し得る）協調は、それほど速い必要はないので、協調による高信頼バックホールのオーバーヘッドは小さい。
【００６８】
ここに説明された技術および態様は、ｅＮＢ−ｅＮＢまたはｅＮＢ−リレー局の応用例における例示的な実施形態において実現され得るが、通信システムの他の態様もまた、それらを使用することができる。たとえば、それらは、共有チャネルワイヤレスバックホールが、たとえば、ＣＱＩまたは他のメッセージを交換するために使用され得る、異種ネットワークにおける動的なセル間干渉協調（ＩＣＩＣ：inter-cell interference coordination）アルゴリズムに、適用されることができる。
【００６９】
現行のＦＣＣ規則によると、ホワイトスペーススペクトラムにおける共有チャネルでは、いくつかの低周波数チャネルが、固定送信機のみ、すなわち、セルラーネットワークにおけるマクロノードのみのために設計されている。そのような、ＦＤＤを形成するために別のチャネルとペアにすることができないチャネルが存在する場合、その唯一の使用は、ここに説明したワイヤレスバックホールの、ＤＬのみのバージョンまたはＴＤＤバージョンのいずれかである。さらに、ＦＣＣのような規制機関によって命令されたホワイトスペースＲＦ要求は、ＵＥまたは他のモバイルデバイスにとって、実現が困難であり得る。しかしながら、ホワイトスペースの規制上の要求は、固定デバイスに利用可能な、電力、サイズ、プロセッサ、および／またはメモリ容量といったさらなる利用可能なリソース、または他の利点により、基地局／ｅＮＢでは、より容易に実現されることができる。
【００７０】
図４に戻ると、システム４００において１つ以上のホワイトスペースチャネルを使用してバックホール通信を補うための構成の一例が示されている。特に、ｅＮＢ４１２およびｅＮＢ４３２は、１つ以上の適切な共有チャネルを決定し、それらのチャネルを介してバックホールシグナリングを通信するための送信機および／または受信機を用いて構成されることができる。たとえば、第１の下りリンク共有チャネル４６０は、たとえばＤＬ ＷＳチャネルであり得るが、ｅＮＢ４３２にバックホール情報、たとえば、ＵＥ４２０に関連づけられたスケジューリングおよびＣＳＩについてのＣｏＭＰ情報を提供するために、ｅＮＢ４１２によって使用されることができる。他のバックホール通信は、たとえば、有線またはワイヤレスバックホール接続であり得る、有線またはワイヤレスのレガシーまたは従来のバックホール接続４５０を介して提供されることができる。
【００７１】
共有チャネル４６０を介してｅＮＢ４１２から提供された情報を受信すると、ｅＮＢ４３２は、ＵＥ４２０への干渉を緩和するために、たとえば、下りリンクチャネル４４２での送信のような、１つ以上のＵＥへの送信を調整することができる。これは、たとえば、ＵＥ４２０の方向のエネルギーを減少させるように下りリンク信号をビームフォーミングすることによって、行われることができる。あるいは、またはさらに、送信のタイミングが、ｅＮＢ４１２とｅＮＢ４３２の両方および／またはＵＥ４４０からＵＥ４２０の方への同時送信を減少させるように、協調させられることができる。
【００７２】
いくつかの実現において、ｅＮＢ４１２とｅＮＢ４３２との間での通信は、一方向であることができ、たとえば、チャネル４７０なしで、チャネル４６０のみでシグナリングする。しかしながら、他の実現において、シグナリングは、双方向であることができ、たとえば、ｅＮＢ４３２からｅＮＢ４１２にフィードバックを提供し、および／または、他のバックホールシグナリングまたは情報を提供する。
【００７３】
いくつかのネットワークにおいては、複数のセル間の協調が実現されることができる。たとえば、複数のフェムトセル（または他のセル）が、マクロセルのカバレッジエリア内にあり得る。この例においては、マクロセルによってサービスされるＵＥに対するカバレッジは、さまざまな他のセル間で送信を協調することにより利益を得ることができる。図５は、そのようなシステム構成５００の例を示しており、（さまざまな実現では、さらなるマクロセル、ピコセル、等といった他のセルタイプであることができる）３つのフェムトセル５３０、５５０、および５７０が、たとえば、マクロセルｅＮＢであり得る基地局５１２によってサービスされ得るマクロセル５１０のカバレッジエリア内にあることができる。
【００７４】
各フェムトセルは、フェムトノードｅＮＢおよび／または他のタイプのｅＮＢであることができる、対応する基地局（たとえば、ｅＮＢ５３２、５５２、および５７２）によってサービスされることができる。ｅＮＢ５３２、５５２、および５７２はそれぞれ、接続５１３、５１５、および５１７のようなレガシーバックホール接続または従来のバックホール接続を介して、ｅＮＢ５１２と通信することができる。これらは、ＬＴＥ Ｘ２またはＳ１接続、または他のレガシーバックホール接続であることができる。
【００７５】
パフォーマンスを向上させるために、および／または、レガシーバックホール接続からデータ送信要求をオフロードするために、１つ以上の共有チャネル、たとえば、ホワイトスペースチャネル、ＩＳＭチャネル、ＡＳＭのような共有免許付与チャネル、または他の共有チャネルが、たとえばＣｏＭＰ協調データまたはＣｏＭＰ協調情報のようなある特定のバックホール情報を送るために、使用されることができる。システム５００において、これは、セル５３０、５５０、および５７０のうちの１つ以上（典型的にはすべて）によって受信されることができる１つ以上の共有チャネルでのブロードキャスト送信５６０を提供することにより、行われることができる。ブロードキャストバックホール情報は、たとえば、送信タイミング、ビームフォーミング、または他のパラメータを調整することにより基地局５１２によってサービスされるＵＥへの干渉の緩和を容易にするための情報を含むことができる。ブロードキャスト情報は、セル５３０、５５０、および５７０のうちの１つ以上の近くにあるＵＥについての情報を含むことができ、一般的に、関連づけられた基地局の各々によって受信されることができる。バックホール情報のブロードキャストシグナリングは、下りリンク接続のみを含むことができるが、いくつかの実現においては、関連づけられた上りリンク（図示せず）が、基地局５３２、５５２、および５７２のうちの１つ以上との間で確立されることができる。これらのリンクは、同一の、または異なる共有チャネルによるものであることができ、または、図５に示したようなすでに確立されたレガシーバックホール接続を含むレガシーバックホールチャネルによるものであることができる。
【００７６】
図６は、図５に示したシステム５００に一般的に類似し得るシステム６００の実施形態を示す。特に、複数のセル（たとえば、セル６１０、６３０、６５０、および６７０）は、接続６１３、６１５、および６１７のようなレガシーバックホール接続を使用して協調した通信を行い得る。しかしながら、システム６００において、各基地局（たとえば、ｅＮＢ６３２、６５２、および６７２）は、ブロードキャスト送信によってではなく、ポイントツーポイント接続を介して、基地局６１２と通信し得る。これは、たとえば、複数のセル間の協調が不可能な場合、または、セルがＣＳＧの一部であるといった他の理由により、行われることができる。
【００７７】
このように、協調および各セルによって引き起こされる干渉に関連づけられたＣｏＭＰ情報のようなバックホール情報は、ｅＮＢ５１２と、関連づけられた基地局６３２、６５２、および６７２との間で別々に、シグナリングされることができる。たとえば、ポイントツーポイントリンク６３３が、ｅＮＢ６１２からｅＮＢ６３２にバックホール情報を提供するために使用されることができ、同様の接続６３５および６３７が、セル６５０および６７０に、および／または、それらのセルから、バックホール通信を提供するために使用されることができる。リンク６３３、６３５、および／または６３７は、いくつかのケースにおいては一方向リンクであることができ、または、他の実現においては双方向リンクであることができる。双方向リンクのケースにおいて、隔たったｅＮＢ（たとえば、ｅＮＢ６３２、６５２、および６７２）は、協調、干渉の緩和についてのフィードバック情報、および／または他のデータまたは情報を提供することができる。
【００７８】
図７は、バックホール通信を提供するように構成されることができ、たとえば、共有チャネルを使用してＣｏＭＰ情報を提供する、基地局７００の実施形態を示している。基地局７００のさまざまな実現の詳細は、明確化のために省略されるが、基地局７００のような基地局のさらなる詳細は、図１５にさらに示される。
【００７９】
基地局７００は、図４に示した基地局４１２、または図５の基地局５１２、または図６の６１２のようなマクロセル基地局であることができ、図３に示したように上りリンクおよび下りリンクを介してＵＥと通信するための１つ以上のモジュール７１０を含むことができる。１つ以上の処理モジュール７４０が、データまたは制御情報といった情報を、ＵＥから受信し、復号し、符号化し、ＵＥへ送るために含まれることができる。基地局７００は、Ｘ２および／またはＳ１接続のようなレガシーバックホール接続を使用して、他の基地局のような他のネットワークノード、および、オペレーションアドミニストレーションマネージメント（ＯＡ＆Ｍ）機能を提供する機能、モビリティマネージメントエンティティ（ＭＭＥ）、ゲートウェイ（ＧＷ）、および／または、他のネットワークコンポーネントといったコアネットワーク（ＣＮ）コンポーネントと通信するように構成された１つ以上のモジュール７２０を含むことができる。
【００８０】
さらに、基地局７００は、ホワイトスペース、ＩＳＭ、共有免許付与チャネル、および／または他の共有チャネルといった共有チャネル、および関連づけられた共有スペクトラムを使用して、バックホール情報を送信および／または受信するための、１つ以上のモジュール７３０を含むことができる。１つ以上のプロセッサモジュール７５０は、共有チャネルによる送信に適したバックホール情報を生成するために、モジュール７１０、７２０、および／または７４０に結合されることができる。この情報は、たとえば、ここにおいて先に説明したＣｏＭＰ情報であることができる。たとえば、モジュール７１０および／またはモジュール７４０において１つ以上のＵＥから受信された情報は、プロセッサモジュール７５０に提供されることができ、図４の基地局４３２、または図５の基地局５３２、５５２、および５７２、または図６の基地局６３２、６５２、および６７２といった別の基地局に単数または複数の共有チャネルを介して送信するための情報が生成されることができる。プロセッサモジュール７５０はさらに、モジュール７３０を介して情報を送信するための単数または複数の共有チャネルを選択するように構成されることができる。これは、適切な共有チャネルまたはチャネルを決定するために、たとえばモジュール７３０と連携して、たとえば、データベースまたは他のメモリまたは記憶装置から情報を受け取ること、および／または、共有チャネルをスキャンすることによって、行われ得る。サーチすることは、プライマリユーザおよび／または他のユーザをサーチすることを含むことができ、さらに、たとえば、単数または複数のチャネルを選択するために使用され得るチャネル情報、干渉情報、および／または他の情報を受け取ることも含み得る。
【００８１】
モジュール７３０は、ＷＳ、ＩＳＭ、ＡＳＭ、および／または他の共有チャネルでバックホール情報を送るように構成された送信機のような、共有スペクトラム送信機モジュールを含むように構成されることができる。モジュール７２０は、モジュール７１０とともに実現され得る、免許が付与されたチャネル用の送信機モジュールを含むように構成されることができる。免許が付与されたチャネル用の送信機モジュールは、（モジュール７３０によって送信される情報に代わる、またはそのような情報に追加された）他のバックホール情報を提供するように構成されることができる。
【００８２】
図８は、共有チャネルを使用してＣｏＭＰ情報のようなバックホール通信を受信し、受信されたバックホール情報に基づいて送信を調整するように構成され得る基地局８００の実施形態を示している。基地局７００と同様に、基地局８００のさまざまな実現の詳細は、明確化のために省略されるが、基地局８００のような基地局のさらなる詳細は、図１５にさらに示される。
【００８３】
基地局８００は、図４の基地局４３２、図５の基地局５３２、５５２、および５７２、または図６の６３２、６５２、および６７２のような、フェムトセルまたはピコセル基地局であることができる。基地局８００は、図３に示したように上りリンクおよび下りリンクを介してＵＥと通信するための、１つ以上のモジュール８１０を含み得る。１つ以上の処理モジュール８４０が、データまたは制御情報といった情報を、ＵＥから受信し、復号し、符号化し、ＵＥへ送るために含まれることができる。さらに、処理モジュール８４０は、たとえば、近傍の基地局によってサービスされるＵＥへの干渉を緩和するためにモジュール８１０の送信機要素を介して送られる調整された送信を生成するために使用されることができる。
【００８４】
基地局８００は、Ｘ２および／またはＳ１接続のようなレガシーバックホール接続を使用して、他の基地局のような他のネットワークノード、および、ＯＡ＆Ｍ機能を提供する機能、モビリティマネージメントエンティティ（ＭＭＥ）、ゲートウェイ（ＧＷ）、および／または、他のネットワークコンポーネントといったコアネットワーク（ＣＮ）コンポーネントと通信するように構成された１つ以上のモジュール８２０を含むことができる。
【００８５】
さらに、基地局８００は、ホワイトスペース、ＩＳＭ、共有免許付与チャネル、および／または他の共有チャネルといった共有チャネル、および関連づけられた共有スペクトラムを使用して、バックホール情報を送信および／または受信するための、１つ以上のモジュール８３０を含むことができる。特に、モジュール８３０は、干渉の緩和を容易にするための、ある特定のバックホール情報を共有チャネルで受信し、その情報をモジュール８５０のようなプロセッサモジュールに提供するように構成されることができる。
【００８６】
１つ以上のプロセッサモジュール８５０は、バックホール情報を受け取り、その情報に基づいて、たとえば、モジュール８１０からの送信を調整するために、モジュール８１０、８２０、および／または８４０に結合されることができる。受け取られた情報は、たとえば、ここにおいて先に説明されたＣｏＭＰ情報であることができ、送信は、近傍の基地局によってサービスされるＵＥへの干渉を緩和するように調整されることができる。
【００８７】
図９は、共有ワイヤレスチャネルを使用してワイヤレスネットワークにおいてバックホール通信を提供するための処理９００の実施形態を示している。ステージ９１０において、共有ワイヤレスチャネルが、第１のワイヤレスネットワークノードと第２のワイヤレスネットワークノードとの間の第１のバックホールチャネルとして使用されるために選択されることができる。ステージ９２０において、第１のバックホール情報のセットが、選択された第１のバックホールチャネルで、第１のワイヤレスネットワークノードから送られることができる。ステージ９３０において、第２のバックホール情報のセットが、第１のワイヤレスノードと第２のワイヤレスノードとの間で確立された第２のバックホールチャネルで、第１のワイヤレスネットワークノードから送られることができる。
【００８８】
第１のバックホール情報のセットを送るステージ９２０は、たとえば、免許不要の共有チャネルで第１のバックホール情報のセットを送信することを含むことができる。第１のバックホール情報のセットは、ＬＴＥ ｅＮＢであることができる基地局から、別のＬＴＥ ｅＮＢであることができる第２の基地局へと、送られることができる。第１のｅＮＢは、マクロセル基地局であることができ、第２のｅＮＢは、フェムトセル基地局であることができる。あるいは、第１のバックホール情報のセットは、リレーノードから送られることができ、第２のワイヤレスノードは、マクロ基地局であることができる。
【００８９】
免許不要チャネルは、たとえば、ＷＳチャネル、ＩＳＭチャネル、および／または、免許不要での無線送信を許容する別のチャネルであることができる。共有チャネルは、使用における優先順位といったユーザに対する規制を含むことができる。使用における優先順位は、より高い優先順位を有するプライマリユーザと、より低い優先順位を有するセカンダリユーザとに関連づけられることができる。あるいは、またはさらに、共有チャネルは、共有されたアクセスおよび／または使用に何の制限も有さないことができる。あるいは、またはさらに、送ることは、免許が付与された複数のユーザ間での使用の共有を許容する、免許が付与されたチャネルで、第１のバックホール情報のセットを送信することを含むことができる。このチャネルは、たとえば、ＡＳＭチャネルまたは他の共有免許付与チャネルであることができる。
【００９０】
共有ワイヤレスチャネルを選択するステージ９２０は、たとえば、１つ以上のプライマリユーザがいないか共有チャネルのセットをスキャンすることと、プライマリユーザがいないことに基づいて共有チャネルを選択することとを含み得る。プライマリユーザは、免許が付与されたユーザであることができ、これらのチャネルは、ホワイトスペースチャネルであることができる。あるいは、またはさらに、共有ワイヤレスチャネルを選択することは、チャネル使用情報のデータベースにアクセスすることと、そのデータベースから提供された情報に少なくとも部分的に基づいて共有ワイヤレスチャネルを選択することとを含み得る。
【００９１】
このデータベースは、たとえば、プライマリユーザを識別する情報、および／または、プライマリユーザに関連づけられた地理的な情報を提供する情報を含むことができる。選択することは、プライマリユーザに関連づけられた地理的な情報を、基地局に関連づけられた、既知の、または決定された地理的な位置情報と比較することに部分的に基づくことができる。
【００９２】
あるいは、またはさらに、共有チャネルは、共有チャネルに関連づけられた信号メトリックに基づいて選択されることができる。この信号メトリックは、信号対干渉比メトリックであり得る。この信号メトリックは、共有チャネルに関連づけられたチャネル情報であることができる。共有チャネルを選択することは、第１のバックホール情報のセットを送るための複数のチャネルを選択することを含み得る。第１のバックホール情報のセットは、複数のチャネルのうちの２つ以上で送られることができる。
【００９３】
第２のバックホールチャネルは、たとえば、有線通信リンクによって搬送されることができる。有線通信リンクは、Ｓ１またはＸ２リンクであることができる。あるいは、またはさらに、第２のバックホールチャネルは、免許が付与されたワイヤレスチャネルで搬送されることができる。
【００９４】
第１のバックホール情報のセットは、たとえば、短い待ち時間のチャネルを要求する情報を含み得る。短い待ち時間のチャネルは、低信頼チャネルであり得る。第２のバックホール情報のセットは、長い待ち時間のチャネルに適した情報を含み得る。長い待ち時間のチャネルは、高信頼チャネルであることができる。第１のバックホール情報のセットは、低いデータレートのチャネルを要求する情報を含み得る。第２のバックホール情報のセットは、高いデータレートのチャネルを要求する情報であり得る。第１のバックホール情報のセットは、共有チャネルで、より高い信頼性を提供するように送信されることができる。より高い信頼性は、低いスペクトル効率と高いエネルギー効率を有する変調および符号化方式を使用して提供されることができる。
【００９５】
第１のワイヤレスノードおよび第２のワイヤレスノードは、たとえばｅＮＢであることができ、第１のバックホール情報のセットは、第１のワイヤレスノードと第２のワイヤレスノードとの間の送信を協調させるための第１のＣｏＭＰ情報のセットを含み得る。第１のｅＮＢおよび第２のｅＮＢは、異種ネットワークにおける基地局であることができる。第１のｅＮＢは、マクロセルｅＮＢであることができ、第２のｅＮＢは、フェムトセルｅＮＢ、ピコセルｅＮＢ、または、異なる出力電力レベルを有するマクロセルｅＮＢであることができる。
【００９６】
第１のバックホール情報のセットは、たとえば、第１のＣｏＭＰ情報のセットを含み得る。第１のＣｏＭＰ情報のセットは、短い待ち時間を要求するＣｏＭＰ情報を含み得る。ＣｏＭＰ情報は、送信スケジューリング情報を含み得る。あるいは、またはさらに、ＣｏＭＰ情報は、第１のワイヤレスネットワークノードによってスケジューリングされた、またはそうでなければ、第１のワイヤレスネットワークノードに関連づけられた、１つ以上のＵＥのＣＳＩを含み得る。たとえば、ＵＥは、ＣｏＭＰ実現において、ＣＳＩまたは他の情報を交換すること、等により、能動的にスケジューリングされなくても、基地局のようなワイヤレスネットワークノードに関連づけられることができる。
【００９７】
あるいは、またはさらに、ＣｏＭＰ情報は、第１のワイヤレスネットワークノードによってスケジューリングされた、または、第１のワイヤレスネットワークノードに関連づけられた、１つ以上のＵＥに関連づけられた、ＣＱＩ情報を含み得る。短い待ち時間の要求は、ＵＥのモビリティに関連づけられ得る。たとえば、短い待ち時間は、ＣＳＩ値が大きく変化しない（たとえば、ＵＥが、干渉を緩和するためのビームフォーミングまたは他の調整に影響を与えるに足るほど動かなった）時間レートに一致し得る。あるいは、またはさらに、ＣｏＭＰ情報は、スケジューリングされたＵＥに関連づけられた優先順位情報を含むことができる。
【００９８】
第２のバックホール情報のセットは、たとえば、他のバックホール情報を含み得る。他のバックホール情報は、第２のＣｏＭＰ情報のセットを含み得る。第２のＣｏＭＰ情報のセットは、長い待ち時間のチャネルに適した情報を含み得る。第２のＣｏＭＰ情報のセットは、高データスループットおよび／または高信頼送信を要求する情報であることができる。第２のバックホール情報のセットは、免許が付与されたチャネルにおける有線通信リンクによって搬送されることができる。
【００９９】
第１のバックホール情報のセットは、たとえば、共有チャネルで、ブロードキャスト送信におけるブロードキャスト情報として送られることができる。このブロードキャスト送信は、マクロセル基地局から複数のフェムトセル基地局または他の基地局へと提供されることができる。ブロードキャスト情報は、ＣｏＭＰ情報を含み得る。ＣｏＭＰ情報は、マクロセル基地局によってサービスされる１つ以上のＵＥのスケジューリングに関連づけられた情報を含み得る。この１つ以上のＵＥは、複数のフェムトセル基地局のうちの１つ以上の干渉範囲内のＵＥであり得る。あるいは、またはさらに、ブロードキャスト情報は、ＵＥに関連づけられたＣＳＩおよび／またはＣＱＩ情報を含むことができる。
【０１００】
第１のバックホール情報のセットは、共有チャネルで、第１の基地局と第２の基地局との間の第１のポイントツーポイント送信として送られることができる。第１のポイントツーポイント送信は、第１のポイントツーポイント情報のセットを含み得る。第１のポイントツーポイント送信は、マクロセル基地局から、複数の基地局のうちの第１の基地局へと提供されることができる。これら複数の基地局は、フェムトセル基地局、ピコセル基地局、および／またはマクロセル基地局であることができる。
【０１０１】
第１のポイントツーポイント情報は、たとえば、ＣｏＭＰ情報を含むことができる。ＣｏＭＰ情報は、マクロセル基地局によってサービスされる１つ以上のＵＥのスケジューリングに関連づけられた情報を含み得る。この１つ以上のＵＥは、上記複数の基地局のうちの１つ以上の干渉範囲内のＵＥであり得る。あるいは、またはさらに、ブロードキャスト情報は、ＵＥに関連づけられたＣＳＩおよび／またはＣＱＩ情報を含むことができる。処理９００はさらに、上記複数の基地局のうちの第２の基地局に第２のポイントツーポイント送信を送ることを含み得る。第２のポイントツーポイント送信は、第３のバックホール情報のセットを含むことができる。第２のポイントツーポイント送信は、共有チャネルにおいて送られることができる。第２のポイントツーポイント送信は、第１のポイントツーポイント送信とは異なる共有チャネルにおけるものであり得る。
【０１０２】
第１のポイントツーポイント情報のセットは、たとえば、複数の基地局のうちの第１の基地局の近くにあるマクロ基地局によってサービスされるＵＥに関連づけられ得る。第２のポイントツーポイント情報は、複数の基地局のうちの第２の基地局の近くにあるマクロ基地局によってサービスされるＵＥに関連づけられ得る。
【０１０３】
図１０は、共有チャネルで提供されるワイヤレス通信システムにおけるバックホール通信を使用するための処理１０００の実施形態の詳細を示している。ステージ１０１０において、第１のバックホールチャネルで第１のワイヤレスネットワークノードによって提供された第１のバックホール情報のセットが、第２のワイヤレスネットワークノードにおいて受信されることができる。第１のバックホールチャネルは、ワイヤレス共有チャネルで提供されることができる。ステージ１０２０において、第２のバックホールチャネルで第１のワイヤレスネットワークノードによって提供された第２のバックホール情報のセットが、第２のワイヤレスネットワークノードにおいて受信されることができる。第２のワイヤレスバックホールチャネルは、レガシーバックホールチャネルであり得る。ステージ１０３０において、第２のワイヤレスネットワークノードから提供される送信は、受信された第１のバックホール情報のセットに少なくとも部分的に基づいて調整されることができる。そして、調整された送信は、第２のワイヤレスネットワークノードからステージ１０４０において送られることができる。この送信は、第１のワイヤレスネットワークノードによってサービスされるＵＥに対する第２のワイヤレスネットワークノードからの干渉を緩和するために調整され得る。
【０１０４】
第１のワイヤレスネットワークノードおよび第２のワイヤレスネットワークノードは、たとえば、基地局であることができる。基地局は、ｅＮＢであり得る。ｅＮＢは、マクロセルｅＮＢ、フェムトセルｅＮＢ、および／またはピコセルｅＮＢであることができる。ｅＮＢは、異種ネットワークにおいて配置されることができる。
【０１０５】
レガシーバックホールチャネルは、たとえば、リレーノードの実現における、免許が付与されたワイヤレスチャネルであることができる。あるいは、またはさらに、レガシーバックホールチャネルは、有線チャネルであることができる。
【０１０６】
共有チャネルは、たとえば、ＷＳチャネルであることができる。共有チャネルは、ＩＳＭチャネルであることができる。共有チャネルは、共有免許付与チャネルであることができる。
【０１０７】
送信を調整するステージ１０３０は、たとえば、第１のワイヤレスネットワークノードによってサービスされるＵＥへの干渉を緩和するために送信を調整することを含み得る。送信を調整することは、第１のバックホール情報のセットに少なくとも部分的に基づいて、送信信号をビームフォーミングすることを含み得る。あるいは、またはさらに、調整することは、ユーザ選択および／またはスケジューリングを変更することを含み得る。あるいは、またはさらに、調整することは、たとえば、ランク、変調および符号化方式（ＭＣＳ：modulation and coding scheme）、ユーザ、送信タイミング、および／または他のスケジューリングパラメータといった、スケジューリング決定を変更することによって、スケジューリングを調整することを含み得る。あるいは、またはさらに、送信を調整することは、第１のバックホール情報のセットに少なくとも部分的に基づいて、送信タイミングを調整することを含み得る。第１のバックホール情報のセットは、第１のワイヤレスネットワークノードによってサービスされるＵＥに関連づけられた情報を含み得る。
【０１０８】
処理１０００はさらに、たとえば、第１のワイヤレスネットワークノードによってサービスされるＵＥからの信号を受信することを含み得る。この処理はさらに、受信された信号から復号された情報に少なくとも部分的に基づいて送信を調整することを含み得る。
【０１０９】
第１のバックホール情報のセットは、たとえば、短い待ち時間のチャネルを要求する情報を含み得る。短い待ち時間のチャネルを要求する情報は、ＵＥに対する干渉を緩和することに関連づけられた情報であり得る。短い待ち時間は、ＵＥの動きに基づいて要求され得る。第２のバックホール情報のセットは、長い待ち時間のチャネルに適した情報を含み得る。
【０１１０】
第１のワイヤレスノードおよび第２のワイヤレスノードは、ｅＮＢであることができ、第１のバックホール情報のセットは、たとえば、第２のワイヤレスチャネルから提供される送信を制御するために使用可能な第１のＣｏＭＰ情報のセットを含み得る。ＣｏＭＰ情報は、送信スケジューリング情報を含み得る。ＣｏＭＰ情報は、第１のワイヤレスネットワークノードによってスケジューリングされた１つ以上のＵＥに関連づけられたＣＳＩを含み得る。ＣｏＭＰ情報は、第１のワイヤレスネットワークノードによってスケジューリングされた１つ以上のＵＥに関連づけられた優先順位情報を含み得る。第２のバックホール情報のセットは、第２のＣｏＭＰ情報のセットを含み得る。第１のワイヤレスネットワークノードは、リレーノードであることができ、第２のワイヤレスノードは、マクロ基地局である。
【０１１１】
図１１は、共有チャネルを使用したワイヤレス通信システムにおける協調バックホール通信のための処理１１００の実施形態を示している。ステージ１１１０において、第１のバックホール情報が、第１のワイヤレスノードと第２のワイヤレスノードとの間で確立された第１のバックホールチャネルで、第１のワイヤレスノードから送られ得る。ステージ１１２０において、バックホール送信協調情報が、第２のワイヤレスネットワークノードから第１のワイヤレスネットワークノードにおいて受信され得る。ステージ１１３０において、第２のバックホール情報が、第１のワイヤレスノードと第２のワイヤレスノードとの間で確立された第２のバックホールチャネルで、第１のワイヤレスネットワークノードから送られ得る。
【０１１２】
処理１１００はさらに、たとえば、バックホール送信協調情報に少なくとも部分的に基づいて、複数の共有チャネルの中から第２のバックホールチャネルを選択することを含み得る。この選択することは、干渉回避手順を用いることを含み得る。第１のバックホールチャネルは、免許が付与されたワイヤレスチャネルであることができ、第２のバックホールチャネルは、免許不要のワイヤレスチャネルであることができる。第１のバックホールチャネルは、有線通信リンクによって搬送されることができ、第２のバックホールチャネルは、免許不要のワイヤレスチャネルであることができる。
【０１１３】
受信するステージ１１２０は、たとえば、有線通信リンクを介してバックホール送信協調情報を受信することを含み得る。送信協調は、ＣＱＩおよびＣＲＣ情報のうちの少なくとも１つを含み得る。
【０１１４】
バックホール通信のために共有チャネルを使用するための典型的なスタートアップまたは再同期手順において、フェムトセルノードまたは他のノードといった１つ以上のノードは、マクロセルノードのような別のノードから、協調において使用するための共有チャネルの使用に関する情報を提供されることができる。たとえば、第１のセル基地局は、たとえばマクロセルｅＮＢであり得るが、最初にインストールまたは再同期されることができ、データベース等から情報をスキャンしたり検索したりすることにより、使用可能な共有チャネルを識別することができる。第１のセル基地局は、その位置を知っているか、または決定するか、のいずれかであることができ、たとえば、フェムトセルであり得る他のセルおよび関連づけられた基地局に、バックホール通信のために使用される共有チャネルを知らせることができる。情報は最初、Ｓ１接続またはＸ２接続といったレガシーバックホール接続を使用して、第１の基地局から他の基地局に提供されることができ、その後のバックホール通信は、先に説明したように、レガシーチャネルと共有チャネルの両方で提供される。
【０１１５】
いくつかの実現において、ワイヤレスバックホールのために共有チャネルを使用する基地局は、共有チャネルからレガシーバックホール接続へと動作を切り替えるかどうかを判定するために、レガシーおよび共有チャネルのバックホールのパフォーマンスを定期的または非同期的に評価することができる。たとえば、レガシーバックホールチャネルの負荷が軽い場合、先に説明した短い待ち時間の情報または他の情報の送信といった、共有チャネルにおける動作は、共有チャネルからレガシーチャネルへと動的に切り替えられることができる。あるいは、レガシーチャネルにおける負荷が増加した場合（および／または基地局とセルとの間の協調に影響を及ぼす程度まで待ち時間が増加した場合）、動作は、レガシーバックホールチャネルから共有チャネルへと動的に切り替えられることができる。これは、たとえば、上述のごとく、第１の基地局が、適切な共有チャネルを決定し、どの単数または複数の共有チャネルが使用されるべきかを、レガシーバックホール接続により、他の基地局にシグナリングするようにして行われることができる。他の情報、たとえば、タイミング、ＭＣＳ情報、物理層シグナリングパラメータおよび／または他の情報が、レガシーバックホールから共有チャネルバックホールへの協調の切り替えを容易にするために提供されることができる。
【０１１６】
図１２は、リレーノードを使用した代替の通信システム構成１２００の実施形態を示すものであり、共有チャネルを使用した同様の機能が提供され得る。図１２に示す例示的な構成は、限定ではなく、例示の目的で提供されていること、ここに説明された態様は、他のリレーノード構成にも同様に使用され得ることに注意すべきである。リレーノードは、ＬＴＥの仕様書において定義されているが、他の通信システムにおいても、信号を転送または「リピート」して範囲を拡張すること等に使用される。いくつかの応用例では、インバンドリレー構成が使用される。このケースでは、チャネルは、同一のスペクトラムにおいて、（アクセスリンクおよびバックホールリンクと呼ばれる）２つのリンク間で共有される。したがって、これらのリンクは、たとえば、時分割ディプリーティング（ＴＤＤ）または他の多重化を使用することにより、別々にされなくてはならない。
【０１１７】
システム１２００は、たとえば、マクロセルｅＮＢサービングセル１２２０であり得る第１の基地局１２２２を含む。１つ以上のＵＥ１２２６が、基地局１２２２のカバレッジエリア内に存在し得る。これらは、免許が付与されたスペクトラム、および／または、たとえば、ホワイトスペースまたは他の共有チャネルといった共有スペクトラム、等における、ＤＬ１２２５のような上りリンクおよびＤＬ１２２３のような下りリンクを使用して、ｅＮＢ１２２２と通信し得る。
【０１１８】
基地局１２２２の範囲を拡張するために、リレーノード１２４２がシステム１２００に追加され、基地局１２２２の範囲が拡張されることができる。リレーノード１２４２は、ここにおいて先に説明した、たとえば図４〜８および図１０における基地局と同様に構成されることができ、ここに示したさまざまなＵＥ、たとえば図４〜８および図１０に示したＵＥにおいて示した機能を含むことができる。リレーノード１２４２は、ＬＴＥの仕様書において定義されたレガシーリレーノードワイヤレスリンクであり得る下りリンク１２３３および上りリンク１２３５を介して、基地局１２２２と通信し得る。リレーノードは、この例において示したＵＥ１２４６および１２４８のような１つ以上のＵＥと通信し得る。これらは、リンク１２４３、１２４５、１２４７、および１２４９といった、免許が付与された（または、ホワイトスペースのような共有）チャネルにおける上りリンクおよび下りリンク接続を使用して、リレーノード１２４２と通信し得る。
【０１１９】
しかしながら、本明細書において先に説明したような基地局と基地局との通信を用いる場合、リレーノード構成もまた、アンカーセル（たとえば、セル１２２０および関連づけられた基地局１２２２）との双方向通信のために、一般的にワイヤレスリンクであるバックホール接続を必要とする。定義されたこれらのリレーノード接続は、ここでは、レガシーリレーチャネルまたはレガシーリレーリンクと呼ばれ得る。リレーノード構成におけるバックホール接続は一般的に、利用可能な免許が付与されたチャネル（レガシーリレーチャネル）を分割すること、および、レガシーワイヤレスリレーリンク１２３３および１２３５において、（たとえば、インバンドアプローチにおいて、）いくつかのリソースをｅＮＢ−リレーバックホール通信のために割り当て、すべての他のリソースをＵＥとの通信のために割り当てることによって提供される。
【０１２０】
さまざまな態様によると、レガシーリレーチャネルのみを使用するのではなく、本明細書において先に説明されたようなホワイトスペース、免許が付与された共有チャネル、および／または他の共有チャネルといった１つ以上のさらなる共有チャネルが、レガシーワイヤレスリレーリンクとともに使用される場合、リレーノードとアンカー基地局との間のいくつかのバックホール通信は、免許が付与されたワイヤレスチャネルから共有チャネルへと、オフロードされることができる。
【０１２１】
図１２に示すように、下りリンク１２５３および／または上りリンク１２５５が、レガシーリンク１２３３および１２３５における容量を補うために、単数または複数の共有チャネルで、追加されることができる。基地局と基地局との通信の文脈で先に説明された例と同様に、レガシーリンク１２３３／１２３５は、比較的長い待ち時間を有し得る一方で、共有チャネルリンク１２５３／１２５５は、比較的短い待ち時間（および／または比較的少ない容量）を有し得る。例示的な実施形態において、レガシーリンク１２３３および１２３５は主として、たとえば、接続を確立すること、接続を維持すること、チャネルを変更することといった、長い待ち時間（たとえば、約４０ｍｓ）の接続に適したバックホールシグナリングのために使用されることができる。共有チャネルリンク１２５３／１２５５は、より短い待ち時間（たとえば、一例では約１〜１０ｍｓ）の接続を提供することができ、レガシーワイヤレス接続よりも大きいデータ量を搬送可能であり得る。しかしながら、先の基地局と基地局との例と同様に、共有チャネルリンク１２５３および１２５５は一般的に、他のユーザによって引き起こされる干渉の可能性だけでなく、チャネル状況、伝搬状況、等に起因して、信頼性が低いものとなるだろう。しかしながら、共有チャネルが、利用可能であり、リンク１２５３および／または１２５５のために許容可能な品質のものである場合、データは、レガシーチャネル１２３３および１２３５から共有チャネルへとオフロードされることができる。
【０１２２】
リレーノードと関連づけられた基地局との間で共有チャネルによる通信を確立するために、使用される単数または複数の共有チャネル、定期的なチャネル評価、ならびにリンクに関連した他の機能についての情報を用いて接続を確立するためのプロトコルが使用され得る。例示的な実施形態において、基地局は、共有チャネルの選択およびモニタを制御することができ、動作を容易にするための情報をリレー局に提供することができる。たとえば、ステータスレポートが、１つ以上のリレー局から、基地局によって定期的に収集されることができる。共有チャネルの品質が劣化している場合、基地局は、新たなチャネルをサーチまたはそうでなければ識別し、ついで、動作を切り替えるためにリレーノードと協調することができる。あるいは、代替のチャネルが識別されない場合、動作はただ単に、単数または複数のレガシーバックホールワイヤレスチャネルへと戻り得る。
【０１２３】
例示的な実施形態において、レガシーチャネルは、制御面の情報と、ことによると何らかのデータトラヒックとを搬送するために使用され得る。そして、ＣＳＩ情報、ホワイトスペースの確立および維持、等、ならびに無線ベアラデータのようなデータを含み得る残りのデータは、ホワイトスペースに入れられることができる。このように、全体の容量が、システムにおいて増加し得る。たとえば、一実施形態において、単数または複数の共有チャネルは、レガシーチャネルから情報をオフロードするために、データで容量に負荷がかけられ得る。共有チャネルは一般的に、他のユーザからの干渉等を含む、先に説明したような理由により、信頼性が低いであろうから、ワイヤレスチャネルおよび共有チャネルのチャネル状況がモニタされることができ、必要に応じて、動作が、共有チャネルと免許が付与されたワイヤレスチャネルとの間で切り替えられることができる。
【０１２４】
ここで図１３を参照すると、通信システムにおいて、リレーノードとの共有チャネルを使用したバックホール通信を提供するための処理１３００の詳細が示されている。ステージ１３１０において、基地局とリレーノードとの間の第１のチャネルとして使用するための共有チャネルが選択され得る。ステージ１３２０において、第１の情報のセットが、基地局からリレーノードへと、第１のチャネルで送られ得る。ステージ１３３０において、第２の情報のセットが、基地局からリレーノードへと、レガシーワイヤレスチャネルで送られ得る。
【０１２５】
第１の基地局は、たとえば、マクロセル基地局であり得る。マクロセル基地局は、ｅＮＢであり得る。第１の情報のセットは、リレーノードバックホール情報を含み得る。バックホール情報は、共有チャネルリンクに関連づけられた情報を含み得る。バックホール情報は、共有チャネルリンクをモニタすることに関連づけられた情報を含み得る。第１の情報のセットは、リレーノード制御情報を含み得る。第１の情報のセットは、リレーノード無線ベアラデータを含み得る。レガシーワイヤレスチャネルは、アクセスリンク送信とバックホールリンク送信の両方のために使用されることができる。これは、たとえば、リソースを分割することによって行われ得る。
【０１２６】
共有チャネルは、たとえば、ホワイトスペースチャネルであり得る。共有チャネルは、ＩＳＭチャネルであり得る。共有チャネルは、共有免許付与チャネルであり得る。共有チャネルは、ＡＳＭチャネルまたは他の共有チャネルであり得る。
【０１２７】
共有チャネルを選択することは、１つ以上のプライマリユーザがいないか共有チャネルのセットをサーチすることと、プライマリユーザがいないことに少なくとも部分的に基づいて共有チャネルのセットから共有チャネルを選択することとを含み得る。共有チャネルを選択することは、チャネル情報のデータベースにアクセスすることと、そのデータベースから検索された情報に少なくとも部分的に基づいて共有チャネルを選択することとを含み得る。共有チャネルは、共有チャネルに関連づけられた信号メトリックに少なくとも部分的に基づいて選択され得る。この信号メトリックは、信号対干渉比メトリックであり得る。
【０１２８】
第１の情報のセットは、たとえば、短い待ち時間のチャネルを要求する情報を含むことができ、第２のバックホール情報のセットは、長い待ち時間のチャネルに適した情報を含む。第１の情報のセットは、高いデータレートのチャネルを要求する情報を含み得る。
【０１２９】
処理１３００はさらに、たとえば、共有チャネルで第３の情報のセットをリレーノードから受信することを含み得る。この方法はさらに、レガシーワイヤレスチャネルで第４の情報のセットをリレーノードから受信することを含み得る。
【０１３０】
ここで図１４を参照すると、ワイヤレス通信システムにおいてリレーノードからバックホール通信を提供するための処理１４００の詳細が示されている。ステージ１４１０において、情報を通信するために使用される共有チャネルを定義する情報が、図１２に示したリレーノード１２４６のようなリレーノードにおいて受信され得る。この情報は、図１２に示した基地局１２２２のような基地局から提供されることができる。この方法はさらに、共有チャネルで、第１の情報のセットを、リレーノードから基地局へと送ることを含み得る。
【０１３１】
第１の情報のセットは、たとえば、リレーノードバックホール情報を含み得る。あるいは、またはさらに、第１の情報のセットは、リレーノード制御情報を含み得る。あるいは、またはさらに、第１の情報のセットは、リレーノード無線ベアラデータを含み得る。
【０１３２】
共有チャネルは、たとえば、ホワイトスペースチャネルであり得る。共有チャネルは、ＩＳＭチャネルであり得る。共有チャネルは、共有免許付与チャネルまたは他の共有チャネルであり得る。
【０１３３】
第１の情報のセットは、たとえば、短い待ち時間のチャネルを要求する情報を含み得る。第２の情報のセットは、長い待ち時間のチャネルに適した情報を含み得る。第１の情報のセットは、高いデータレートのチャネルを要求する情報を含み得る。
【０１３４】
処理１４００はさらに、第１の情報の少なくとも一部を、リレーノードからＵＥへと送ることを含み得る。第１の情報の一部は、ＵＥに分配することを目的とした無線ベアラデータを含み得る。
【０１３５】
処理１４００はさらに、ＵＥからデータを受信することを含み得る。処理１４００はさらに、ＵＥから受信された情報の少なくとも一部を、共有チャネルを使用して基地局に提供することを含み得る。
【０１３６】
ここで図１５を参照すると、ＬＴＥ ＭＩＭＯシステム１５００における、（基地局またはｅＮＢであり得る）送信機システム１５１０と、（ＵＥであり得る）受信機システム１５５０とを含むシステム１５００が示されている。送信機システム１５１０において、多数のデータストリームのためのトラヒックデータが、データソース１５１２から送信（ＴＸ）データプロセッサ１５１４へと供給される。各データストリームは、それぞれの送信アンテナによって送信される。ＴＸデータプロセッサ１５１４は、各データストリームのためのトラヒックデータを、そのデータストリームのために選択された特定の符号化方式に基づいて、フォーマット、符号化、およびインターリーブし、符号化されたデータを供給する。
【０１３７】
各データストリームのための符号化されたデータは、ＯＦＤＭ技術を使用してパイロットデータとともに多重化され得る。パイロットデータは一般的に、既知の手法で処理され、チャネル応答を推定するために受信機システムにおいて使用され得る、既知のデータパターンである。各データストリームのための、多重化されたパイロットデータおよび符号化されたデータは、そのデータストリームのために選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）され、変調シンボルが供給される。各データストリームのためのデータレート、符号化、および変調は、プロセッサ１５３０によって実行される命令によって決定され得る。
【０１３８】
すべてのデータストリームのための変調シンボルが、ＴＸ ＭＩＭＯプロセッサ１５２０に供給され、ＴＸ ＭＩＭＯプロセッサ１５２０はさらに、（たとえば、ＯＦＤＭ用に）変調シンボルを処理し得る。ＴＸ ＭＩＭＯプロセッサ１５２０は、ＮＴ個の変調シンボルストリームを、ＮＴ個の送信機（ＴＭＴＲ）１５２２ａ〜１５２２ｔに供給する。ある特定の実施形態において、ＴＸ ＭＩＭＯプロセッサ１５２０は、データストリームのシンボルと、そのシンボルが送信されるアンテナに、ビームフォーミング重みを適用する。
【０１３９】
各送信機１５２２は、それぞれのシンボルストリームを受け取って処理し、１つ以上のアナログ信号を供給し、さらに、それらのアナログ信号を調整（たとえば、増幅、フィルタリング、およびアップコンバート）して、ＭＩＭＯチャネルを介した送信に適した変調信号を供給する。そして、送信機１５２２ａ〜１５２２ｔからのＮＴ個の変調信号は、それぞれ、ＮＴ個のアンテナ１５２４ａ〜１５２４ｔから送信される。
【０１４０】
受信機システム１５５０において、送信された変調信号がＮＲ個のアンテナ１５５２ａ〜１５５２ｒによって受信され、各アンテナ１５５２からの受信信号は、それぞれの受信機（ＲＣＶＲ）１５５４ａ〜１５５４ｒへと供給される。各受信機１５５４は、それぞれの受信信号を調整（たとえば、フィルタリング、増幅、およびダウンコンバート）し、調整された信号をデジタル化してサンプルを供給し、さらに、それらのサンプルを処理して、対応する「受信された」シンボルストリームを供給する。
【０１４１】
ＲＸデータプロセッサ１５６０は、ＮＲ個の受信機１５５４からＮＲ個の受信シンボルストリームを受け取って特定の受信機処理技術に基づいて処理し、ＮＴ個の「検出された」シンボルストリームを供給する。ＲＸデータプロセッサ１５６０は、各々の検出されたシンボルストリームを復調し、デインターリーブし、復号して、データストリームのためのトラヒックデータを復元する。ＲＸデータプロセッサ１５６０による処理は、送信機システム１５１０においてＴＸ ＭＩＭＯプロセッサ１５２０およびＴＸデータプロセッサ１５１４によって実行されるものと補完的である。
【０１４２】
プロセッサ１５７０は、どのプリコーディングマトリクスを使用すべきかを定期的に決定する。プロセッサ１５７０は、マトリクスインデックスの部分とランク値の部分とを含むリバースリンクメッセージを公式化する。リバースリンクメッセージは、通信リンクおよび／または受信されたデータストリームに関するさまざまなタイプの情報を含み得る。リバースリンクメッセージは、データソース１５３６から多数のデータストリームのためのトラヒックデータを受け取るＴＸデータプロセッサ１５３８によって処理され、変調器１５８０によって変調され、送信機１５５４ａ〜１５５４ｒによって調整され、送信機システム１５１０へと返送される。
【０１４３】
送信機システム１５１０において、受信機システム１５５０からの変調信号が、アンテナ１５２４によって受信され、受信機１５２２によって調整され、復調器１５４０によって復調され、ＲＸデータプロセッサ１５４２によって処理されて、受信機システム１５５０によって送信されたリバースリンクメッセージが抽出される。プロセッサ１５３０は、ビームフォーミング重みを決定するためにどのプリコーディングマトリクスが使用されたかを決定し、ついで、抽出されたメッセージを処理する。送信サブシステムおよび受信サブシステム１５１０および１５２０において示されたさまざまなコンポーネントはさらに、たとえば、ＬＴＥシステムでは免許が付与されたチャネルで使用されるのと同様のシグナリングを使用することによって行われ得る、共有チャネルを介した通信を行うように構成され得る。あるいは、シグナリングは、異なる変調および符号化方式による、共有チャネル送信に適した他のシグナリングを使用して、共有チャネルで行われ得る。いくつかの実現において、図１５に示された要素は、ここに説明された共有チャネルのバックホール通信機能を提供するために、別個の基地局において使用されることができる。さらに、レガシーバックホール通信が、（ワイヤレスレガシーバックホールリンクの場合には）図１５に示したコンポーネントから、および／または、図示されていない他のコンポーネント（たとえば、有線レガシー通信コンポーネント）によって、提供されることができる。
【０１４４】
いくつかの構成において、ワイヤレス通信のための装置は、ここに説明されたさまざまな機能を実行するための手段を含む。一態様において、上記手段は、たとえば図４〜８，１３，または図１５に示したような本発明の実施形態を備え、かつ、上記手段によって説明された機能を実行するように構成された、単数または複数のプロセッサおよび関連づけられたメモリを含む、モジュールであり得る。たとえば、モジュールまたは装置は、ここに示され、および／または説明された、ｅＮＢおよび／または他のネットワークデバイスの中に存在し得る。別の態様において、上記手段は、上記手段によって説明された機能を実行するように構成されたモジュールまたは装置であることができる。
【０１４５】
１つ以上の例示的な実施形態において、説明された機能、方法、および処理は、ハードウェア、ソフトウェア、ファームウェア、またはそれらの任意の組み合わせで実現されることができる。ソフトウェアで実現される場合、機能は、コンピュータ読取可能な媒体において、１つ以上の命令またはコードとして、記憶またはコード化されることができる。コンピュータ読取可能な媒体は、コンピュータ記憶媒体を含む。記憶媒体は、コンピュータによってアクセス可能な任意の入手可能な媒体であることができる。限定ではなく例として、そのようなコンピュータ読取可能な媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコードを搬送または記憶するために使用されることができ、かつ、コンピュータによってアクセスされることができる任意の他の媒体を含むことができる。ディスク（disk）およびディスク（disc）は、ここで使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、磁気的にデータを再生するが、ディスク（disc）は、レーザーを用いて光学的にデータを再生する。上記の組み合わせもまた、コンピュータ読取可能な媒体の範囲内に含まれるべきである。
【０１４６】
ここで使用される場合、コンピュータプログラム製品はコンピュータ読取可能な媒体を備え、このコンピュータ読取可能な媒体は、すべての形態のコンピュータ読取可能な媒体を含むが、そのような媒体が、非合法的かつ一時的に信号を伝搬しているとみなされる限りは除くものとする。
【０１４７】
開示された処理および方法における特定の順序または階層のステップまたはステージは、例示的なアプローチの一例であるということが理解されるべきである。設計の優先性に基づいて、処理における特定の順序または階層のステップは、本開示の範囲内のままでありながら並べ替えられ得ることが理解されるべきである。付属の方法の請求項は、例示的な順序で、さまざまなステップの要素を提示しているが、提示された特定の順序または階層に限定されることを意図しない。
【０１４８】
当業者は、情報および信号が、さまざまな異なる技術および技法のいずれかを使用して表され得ることを理解するだろう。たとえば、上記説明全体を通して言及され得るデータ、命令、コマンド、情報、信号、ビット、シンボル、およびチップは、電圧、電流、電磁波、磁場または磁性粒子、光場または光粒子、またはそれらの任意の組み合わせによって表わされることができる。
【０１４９】
ここに開示された実施形態に関連して説明された、さまざまな例示的な論理ブロック、モジュール、および回路は、ここで説明された機能を実行するように設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはそれらの任意の組み合わせを用いて、実現または実行されることができる。汎用プロセッサは、マイクロプロセッサであることができるが、その代わりに、プロセッサは、任意の従来のプロセッサ、コントローラ、マイクロコントローラ、またはステートマシンであることができる。プロセッサは、また、コンピューティングデバイスの組み合わせ、たとえば、ＤＳＰと、１つのマイクロプロセッサ、複数のマイクロプロセッサ、ＤＳＰコアと結合された１つ以上のマイクロプロセッサとの組み合わせ、または任意の他のそのような構成として、実現されることもできる。
【０１５０】
ここに開示された実施形態に関連して説明された方法、処理、またはアルゴリズムのステップまたはステージは、ハードウェアで直接的に、プロセッサによって実行されるソフトウェアモジュールで、または両者の組み合わせで、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当該技術で周知の任意の他の形態の記憶媒体に存在することができる。例示的な記憶媒体は、プロセッサが記憶媒体から情報を読み取り、記憶媒体に情報を書き込むことができるように、プロセッサに結合される。あるいは、記憶媒体は、プロセッサに組み込まれることができる。プロセッサおよび記憶媒体は、ＡＳＩＣ内に存在することができる。ＡＳＩＣは、ＵＥ内に存在することができる。あるいは、プロセッサおよび記憶媒体は、ＵＥ内の離散コンポーネントとして存在することができる。
【０１５１】
本開示は、ここに示された態様に限定されるのではなく、明細書および図面に一致する全範囲を付与されることを意図しており、ここにおいて、単数形で要素に言及している場合、そうであるとの明確な記載がない限り、「１つ、および１つのみ」を意味することは意図せず、「１つ以上」を意味するものとする。そうでないとの明確な記載がない限り、「何らかの」という用語は、１つ以上を意味する。項目のリストのうちの「少なくとも１つ」に言及するフレーズは、単一の要素を含む、それらの項目のうちの任意の組み合わせに言及するものである。例としては、「ａ，ｂ，またはｃのうちの少なくとも１つ」は、「ａ，ｂ，ｃ，ａおよびｂ，ａおよびｃ，ｂおよびｃ，ａ，ｂ，およびｃ」を含むことを意図する。
【０１５２】
開示された態様の先の説明は、本開示を製造または使用することをいずれの当業者にも可能にさせるために提供されている。これらの態様に対するさまざまな変更は、当業者に容易に理解され、ここで定義された一般的な原理は、本開示の精神または範囲から逸脱せずに、他の態様に適用されることができる。このように、本開示は、ここに示された態様に限定されることは意図しておらず、ここに開示された原理および新規な特徴と一致する最も広い範囲が付与されるべきである。以下に示す特許請求の範囲およびその同等物が本開示の範囲を定義するものとする。
以下に、本願出願の当初の特許請求の範囲に記載された発明を付記する。
［Ｃ１］
ワイヤレス通信のための方法であって、
第１のワイヤレスノードと第２のワイヤレスノードとの間の第１のバックホールチャネルとして使用するための共有チャネルを選択することと、
前記第１のバックホールチャネルで第１のバックホール情報のセットを、前記第１のワイヤレスノードから、送ることと、
前記第１のワイヤレスノードと前記第２のワイヤレスノードとの間で確立された第２のバックホールチャネルで第２のバックホール情報のセットを、前記第１のワイヤレスノードから、送ることと
を備える、方法。
［Ｃ２］
前記共有チャネルは、ホワイトスペース（ＷＳ）チャネルと、計測、科学、および測定用（ＩＳＭ）チャネルと、共有免許付与チャネルとのうちの１つを含む、
［Ｃ１］に記載の方法。
［Ｃ３］
前記共有チャネルを選択することは、１つ以上のプライマリユーザがいないか共有チャネルのセットをサーチすることと、プライマリユーザがいないことに少なくとも部分的に基づいて前記共有チャネルのセットから前記共有チャネルを選択することと
を含む、［Ｃ１］に記載の方法。
［Ｃ４］
前記共有チャネルを選択することは、チャネル情報のデータベースにアクセスすることと、前記データベースから検索された情報に少なくとも部分的に基づいて前記共有チャネルを選択することと
を含む、［Ｃ１］に記載の方法。
［Ｃ５］
前記共有チャネルを選択することは、前記共有チャネルに関連づけられた信号メトリックに少なくとも部分的に基づく、
［Ｃ１］に記載の方法。
［Ｃ６］
前記信号メトリックは、信号対干渉比メトリックを含む、
［Ｃ５］に記載の方法。
［Ｃ７］
前記第２のバックホールチャネルは、有線通信リンクによって搬送される、
［Ｃ１］に記載の方法。
［Ｃ８］
前記第２のバックホールチャネルは、免許が付与されたワイヤレスチャネルである、
［Ｃ１］に記載の方法。
［Ｃ９］
前記第１のバックホール情報のセットは、短い待ち時間のチャネルを要求する情報を備え、前記第２のバックホール情報のセットは、長い待ち時間のチャネルに適した情報を備える、
［Ｃ１］に記載の方法。
［Ｃ１０］
前記第１のワイヤレスノードおよび前記第２のワイヤレスノードは、エボルブドノードＢ（ｅＮＢ）であり、前記第１のバックホール情報のセットは、前記第１のワイヤレスノードおよび前記第２のワイヤレスノードの送信を協調させるために使用可能な、第１の協調マルチポイント（ＣｏＭＰ）情報のセットを含む、
［Ｃ１］に記載の方法。
［Ｃ１１］
前記ＣｏＭＰ情報は、送信スケジューリング情報を含む、
［Ｃ１０］に記載の方法。
［Ｃ１２］
前記ＣｏＭＰ情報は、前記第１のワイヤレスノードによってスケジューリングされた、または、前記第１のワイヤレスノードに関連づけられた、１つ以上のユーザ機器（ＵＥ）に関連づけられた、チャネル状態情報（ＣＳＩ）を含む、
［Ｃ１０］に記載の方法。
［Ｃ１３］
前記ＣｏＭＰ情報は、前記第１のワイヤレスノードによってスケジューリングされた、または、前記第１のワイヤレスノードに関連づけられた、１つ以上のユーザ機器（ＵＥ）に関連づけられた、優先順位情報を含む、
［Ｃ１０］に記載の方法。
［Ｃ１４］
前記第２のバックホール情報のセットは、第２のＣｏＭＰ情報のセットを含む、
［Ｃ１０］に記載の方法。
［Ｃ１５］
前記第１のバックホール情報のセットを送ることは、第１のしきい値を下回る低いスペクトル効率および第２のしきい値を上回る高いエネルギー効率を有する変調および符号化方式（ＭＣＳ）を使用して、前記共有チャネルで前記第１のバックホール情報のセットを送ることを含む、
［Ｃ１］に記載の方法。
［Ｃ１６］
前記第１のワイヤレスノードはリレーノードであり、前記第２のワイヤレスノードは基地局である、
［Ｃ１］に記載の方法。
［Ｃ１７］
前記第１のバックホール情報のセットを送ることは、前記共有チャネルで、ブロードキャスト送信として、前記第１のバックホール情報のセットを送ることを含む、
［Ｃ１］に記載の方法。
［Ｃ１８］
前記第１のバックホール情報のセットを送ることは、前記第２のワイヤレスノードへのポイントツーポイント送信として、前記第１のバックホール情報のセットを送ることを含む、
［Ｃ１］に記載の方法。
［Ｃ１９］
第３のワイヤレスノードへのポイントツーポイント送信として、前記第２のバックホール情報のセットを前記第１のワイヤレスノードから送ることをさらに備える、
［Ｃ１８］に記載の方法。
［Ｃ２０］
命令が記憶されたコンピュータ読取可能な媒体を備えるコンピュータプログラム製品であって、前記命令は、コンピュータに、
第１のワイヤレスノードと第２のワイヤレスノードとの間の第１のバックホールチャネルとして使用するための共有チャネルを選択させ、
前記第１のバックホールチャネルで、第１のバックホール情報のセットを、前記第１のワイヤレスノードから送らせ、
前記第１のワイヤレスノードと前記第２のワイヤレスノードとの間で確立された第２のバックホールチャネルで、第２のバックホール情報のセットを、前記第１のワイヤレスノードから送らせる
ための命令である、コンピュータプログラム製品。
［Ｃ２１］
前記コンピュータに選択させるための命令は、前記コンピュータに、１つ以上のプライマリユーザがいないか共有チャネルのセットをサーチすることと、プライマリユーザがいないことに少なくとも部分的に基づいて前記共有チャネルのセットから前記共有チャネルを選択することとによって、前記共有チャネルを選択させるための命令を含む、
［Ｃ２０］に記載のコンピュータプログラム製品。
［Ｃ２２］
前記コンピュータに選択させるための命令は、前記コンピュータに、チャネル情報のデータベースにアクセスすることと、前記データベースから検索された情報に少なくとも部分的に基づいて前記共有チャネルを選択することとによって、前記共有チャネルを選択させるための命令を含む、
［Ｃ２０］に記載のコンピュータプログラム製品。
［Ｃ２３］
ワイヤレス通信のための装置であって、
第１のワイヤレスノードと第２のワイヤレスノードとの間の第１のバックホールチャネルとして使用するための共有チャネルを選択し、
前記第１のバックホールチャネルで、第１のバックホール情報のセットを、前記第１のワイヤレスノードから送り、
前記第１のワイヤレスノードと前記第２のワイヤレスノードとの間で確立された第２のバックホールチャネルで、第２のバックホール情報のセットを、前記第１のワイヤレスノードから送る
ように構成された少なくとも１つのプロセッサと、
前記少なくとも１つのプロセッサに結合されたメモリと
を備える、装置。
［Ｃ２４］
前記共有チャネルは、ホワイトスペース（ＷＳ）チャネルと、計測、科学、および測定用（ＩＳＭ）チャネルと、共有免許付与チャネルとのうちの１つを含む、
［Ｃ２３］に記載の装置。
［Ｃ２５］
ワイヤレス通信のための装置であって、
第１のワイヤレスノードと第２のワイヤレスノードとの間の第１のバックホールチャネルとして使用するための共有チャネルを選択するための手段と、
前記第１のバックホールチャネルで、第１のバックホール情報のセットを、前記第１のワイヤレスノードから送るための手段と、
前記第１のワイヤレスノードと前記第２のワイヤレスノードとの間で確立された第２のバックホールチャネルで、第２のバックホール情報のセットを、前記第１のワイヤレスノードから送るための手段と
を備える、装置。
［Ｃ２６］
前記選択するための手段は、１つ以上のプライマリユーザがいないか共有チャネルのセットをサーチするための手段と、プライマリユーザがいないことに少なくとも部分的に基づいて前記共有チャネルのセットから前記共有チャネルを選択するための手段と
を含む、［Ｃ２５］に記載の装置。
［Ｃ２７］
前記共有チャネルは、ホワイトスペース（ＷＳ）チャネルと、計測、科学、および測定用（ＩＳＭ）チャネルと、共有免許付与チャネルとのうちの１つを含む、
［Ｃ２５］に記載の装置。
［Ｃ２８］
ワイヤレス通信のための方法であって、
第１のバックホールチャネルで第１のワイヤレスノードによって提供された第１のバックホール情報のセットを受信することと、ここにおいて、前記第１のバックホールチャネルは、共有チャネルで提供される、
第２のバックホールチャネルで前記第１のワイヤレスノードによって提供された第２のバックホール情報のセットを受信することと、ここにおいて、前記第２のバックホールチャネルは、レガシーバックホールチャネルである、
前記受信された第１のバックホール情報のセットに少なくとも部分的に基づいて、第２のワイヤレスノードからの送信を調整することと
を備える、方法。
［Ｃ２９］
前記レガシーバックホールチャネルは、免許が付与されたワイヤレスチャネルと、有線チャネルとのうちの１つを含み、
前記共有チャネルは、ホワイトスペース（ＷＳ）チャネルと、計測、科学、および測定用（ＩＳＭ）チャネルと、共有免許付与チャネルとのうちの１つを含む、
［Ｃ２８］に記載の方法。
［Ｃ３０］
前記送信を調整することは、
前記第１のバックホール情報のセットに少なくとも部分的に基づいて、送信信号をビームフォーミングすることと、
前記第１のバックホール情報のセットに少なくとも部分的に基づいて、送信スケジューリングを調整することと
のうちの１つを含む、［Ｃ２８］に記載の方法。
［Ｃ３１］
前記第１のワイヤレスノードによってサービスされるユーザ機器（ＵＥ）からの信号を受信することと、前記受信された信号から復号された情報に少なくとも部分的に基づいて前記送信を調整することと
をさらに備える、［Ｃ２８］に記載の方法。
［Ｃ３２］
前記第１のバックホール情報のセットは、短い待ち時間のチャネルを要求する情報を備え、前記第２のバックホール情報のセットは、長い待ち時間のチャネルに適した情報を備える、
［Ｃ２８］に記載の方法。
［Ｃ３３］
前記第１のワイヤレスノードおよび前記第２のワイヤレスノードは、エボルブドノードＢ（ｅＮＢ）であり、前記第１のバックホール情報のセットは、前記第２のワイヤレスノードの送信を制御するために使用可能な、第１の協調マルチポイント（ＣｏＭＰ）情報のセットを含む、
［Ｃ２８］に記載の方法。
［Ｃ３４］
前記ＣｏＭＰ情報は、送信スケジューリング情報を含む、
［Ｃ３３］に記載の方法。
［Ｃ３５］
前記ＣｏＭＰ情報は、前記第１のワイヤレスノードによってスケジューリングされた、または、前記第１のワイヤレスノードに関連づけられた、１つ以上のユーザ機器（ＵＥ）に関連づけられた、チャネル状態情報（ＣＳＩ）を含む、
［Ｃ３３］に記載の方法。
［Ｃ３６］
前記ＣｏＭＰは、前記第１のワイヤレスノードによってスケジューリングされた、または、前記第１のワイヤレスノードに関連づけられた、１つ以上のユーザ機器（ＵＥ）に関連づけられた、優先順位情報を含む、
［Ｃ３３］に記載の方法。
［Ｃ３７］
前記第２のバックホール情報のセットは、第２のＣｏＭＰ情報のセットを含む、
［Ｃ３３］に記載の方法。
［Ｃ３８］
前記第１のワイヤレスノードはリレーノードであり、前記第２のワイヤレスノードは基地局である、
［Ｃ２５］に記載の方法。
［Ｃ３９］
命令が記憶されたコンピュータ読取可能な媒体を備えるコンピュータプログラム製品であって、前記命令は、コンピュータに、
第１のバックホールチャネルで第１のワイヤレスノードによって提供された第１のバックホール情報のセットを受信させ、ここにおいて、前記第１のバックホールチャネルは、共有チャネルで提供される、
第２のバックホールチャネルで前記第１のワイヤレスノードによって提供された第２のバックホール情報のセットを受信させ、ここにおいて、前記第２のワイヤレスバックホールチャネルは、レガシーバックホールチャネルである、
前記受信された第１のバックホール情報のセットに少なくとも部分的に基づいて、第２のワイヤレスノードからの送信を調整させる
ための命令である、コンピュータプログラム製品。
［Ｃ４０］
前記レガシーバックホールチャネルは、免許が付与されたワイヤレスチャネルと、有線チャネルとのうちの１つを含み、
前記共有チャネルは、ホワイトスペース（ＷＳ）チャネルと、計測、科学、および測定用（ＩＳＭ）チャネルと、共有免許付与チャネルとのうちの１つを含む、［Ｃ３９］に記載のコンピュータプログラム製品。
［Ｃ４１］
ワイヤレス通信のための装置であって、
第１のバックホールチャネルで第１のワイヤレスノードによって提供された第１のバックホール情報のセットを受信し、ここにおいて、前記第１のバックホールチャネルは、共有チャネルで提供される、
第２のバックホールチャネルで前記第１のワイヤレスノードによって提供された第２のバックホール情報のセットを受信し、ここにおいて、前記第２のワイヤレスバックホールチャネルは、レガシーバックホールチャネルである、
前記受信された第１のバックホール情報のセットに少なくとも部分的に基づいて、第２のワイヤレスノードからの送信を調整する
ように構成された少なくとも１つのプロセッサと、
前記少なくとも１つのプロセッサに結合されたメモリと
を備える、装置。
［Ｃ４２］
ワイヤレス通信のための装置であって、
第１のバックホールチャネルで第１のワイヤレスノードによって提供された第１のバックホール情報のセットを受信するための手段と、ここにおいて、前記第１のバックホールチャネルは、共有チャネルで提供される、
第２のバックホールチャネルで前記第１のワイヤレスノードによって提供された第２のバックホール情報のセットを受信するための手段と、ここにおいて、前記第２のワイヤレスバックホールチャネルは、レガシーバックホールチャネルである、
前記受信された第１のバックホール情報のセットに少なくとも部分的に基づいて、第２のワイヤレスノードからの送信を調整するための手段と
を備える、装置。
［Ｃ４３］
前記レガシーバックホールチャネルは、免許が付与されたワイヤレスチャネルと、有線チャネルとのうちの１つを含み、
前記共有チャネルは、ホワイトスペース（ＷＳ）チャネルと、計測、科学、および測定用（ＩＳＭ）チャネルと、共有免許付与チャネルとのうちの１つを含む、
［Ｃ４２］に記載の装置。
［Ｃ４４］
ワイヤレス通信のための方法であって、
第１のワイヤレスノードから、前記第１のワイヤレスノードと第２のワイヤレスノードとの間で確立された第１のバックホールチャネルで、第１のバックホール情報を送ることと、
前記第１のワイヤレスノードにおいて、前記第２のワイヤレスノードからのバックホール送信協調情報を受信することと、
前記第１のワイヤレスノードから、前記第１のワイヤレスノードと前記第２のワイヤレスノードとの間で確立された第２のバックホールチャネルで、第２のバックホール情報を送ることと
を備える、方法。
［Ｃ４５］
前記バックホール送信協調情報に少なくとも部分的に基づいて、複数のワイヤレス共有チャネルの中から前記第２のバックホールチャネルを選択することをさらに備える、
［Ｃ４４］に記載の方法。
［Ｃ４６］
前記選択することは、干渉回避手順を用いることを含む、
［Ｃ４５］に記載の方法。
［Ｃ４７］
前記第１のバックホールチャネルは、免許が付与されたワイヤレスチャネルを含み、前記第２のバックホールチャネルは、免許不要のワイヤレスチャネルを含む、
［Ｃ４４］に記載の方法。
［Ｃ４８］
前記第１のバックホールチャネルは、有線通信リンクによって搬送され、前記第２のバックホールチャネルは、免許不要のワイヤレスチャネルを含む、
［Ｃ４４］に記載の方法。
［Ｃ４９］
前記受信することは、前記有線通信リンクを介して前記バックホール送信協調情報を受信することを含む、
［Ｃ４８］に記載の方法。
［Ｃ５０］
前記送信協調情報は、チャネル品質指標（ＣＱＩ）情報と巡回冗長検査（ＣＲＣ）情報とのうちの１つを含む、
［Ｃ４４］に記載の方法。
［Ｃ５１］
命令が記憶されたコンピュータ読取可能な媒体を備えるコンピュータプログラム製品であって、前記命令は、コンピュータに、
第１のワイヤレスノードから、前記第１のワイヤレスノードと第２のワイヤレスノードとの間で確立された第１のバックホールチャネルで、第１のバックホール情報を送らせ、
前記第１のワイヤレスノードにおいて、前記第２のワイヤレスノードからのバックホール送信協調情報を受信させ、
前記第１のワイヤレスノードから、前記第１のワイヤレスノードと前記第２のワイヤレスノードとの間で確立された第２のバックホールチャネルで、第２のバックホール情報を送らせる
ための命令である、コンピュータプログラム製品。
［Ｃ５２］
ワイヤレス通信のための装置であって、
第１のワイヤレスノードから、前記第１のワイヤレスノードと第２のワイヤレスノードとの間で確立された第１のバックホールチャネルで、第１のバックホール情報を送り、
前記第１のワイヤレスノードにおいて、前記第２のワイヤレスノードからのバックホール送信協調情報を受信し、
前記第１のワイヤレスノードから、前記第１のワイヤレスノードと前記第２のワイヤレスノードとの間で確立された第２のバックホールチャネルで、第２のバックホール情報を送る
ように構成された少なくとも１つのプロセッサと、
前記少なくとも１つのプロセッサに結合されたメモリと
を備える、装置。
［Ｃ５３］
ワイヤレス通信のための装置であって、
第１のワイヤレスノードから、前記第１のワイヤレスノードと第２のワイヤレスノードとの間で確立された第１のバックホールチャネルで、第１のバックホール情報を送るための手段と、
前記第１のワイヤレスノードにおいて、前記第２のワイヤレスノードからのバックホール送信協調情報を受信するための手段と、
前記第１のワイヤレスノードから、前記第１のワイヤレスノードと前記第２のワイヤレスノードとの間で確立された第２のバックホールチャネルで、第２のバックホール情報を送るための手段と
を備える、装置。
［Ｃ５４］
前記バックホール送信協調情報に少なくとも部分的に基づいて、複数のワイヤレス共有チャネルの中から前記第２のバックホールチャネルを選択するための手段をさらに備える、
［Ｃ５３］に記載の装置。
［Ｃ５５］
ワイヤレス通信のための方法であって、
基地局とリレーノードとの間で使用するための共有チャネルを選択することと、
前記共有チャネルで、第１の情報のセットを、前記基地局から前記リレーノードへと送ることと、
レガシーワイヤレスチャネルで、第２の情報のセットを、前記基地局から前記リレーノードへと送ることと
を備える、方法。
［Ｃ５６］
前記第１の情報のセットは、リレーノードバックホール情報と、リレーノード制御情報と、リレーノード無線ベアラデータとのうちの１つを含む、
［Ｃ５５］に記載の方法。
［Ｃ５７］
前記レガシーワイヤレスチャネルは、リソース分割を使用して、アクセスリンクとバックホールリンクの両方を提供するためのものである、
［Ｃ５５］に記載の方法。
［Ｃ５８］
前記共有チャネルは、ホワイトスペース（ＷＳ）チャネルと、認可共有マルチユーザ（ＡＳＭ）チャネルと、計測、科学、および測定用（ＩＳＭ）チャネルとのうちの１つを含む、
［Ｃ５５］に記載の方法。
［Ｃ５９］
前記第１の情報のセットは、短い待ち時間のチャネルを要求する情報を備え、前記第２の情報のセットは、長い待ち時間のチャネルに適した情報を備える、
［Ｃ５５］に記載の方法。
［Ｃ６０］
前記第１の情報のセットは、しきい値を上回るデータレートをサポートするチャネルを要求する情報を備える、
［Ｃ５９］に記載の方法。
［Ｃ６１］
前記共有チャネルで第３の情報のセットを前記リレーノードから受信することと、
前記レガシーワイヤレスチャネルで第４の情報のセットを前記リレーノードから受信することと
をさらに備える、［Ｃ５５］に記載の方法。
［Ｃ６２］
命令が記憶されたコンピュータ読取可能な媒体を備えるコンピュータプログラム製品であって、前記命令は、コンピュータに、
基地局とリレーノードとの間で使用するための共有チャネルを選択させ、
前記共有チャネルで、第１の情報のセットを、前記基地局から前記リレーノードへと送らせ、
レガシーワイヤレスチャネルで、第２の情報のセットを、前記基地局から前記リレーノードへと送らせる
ための命令である、コンピュータプログラム製品。
［Ｃ６３］
ワイヤレス通信のための装置であって、
基地局とリレーノードとの間で使用するための共有チャネルを選択し、
前記共有チャネルで、第１の情報のセットを、前記第１の局から前記リレーノードへと送り、
レガシーワイヤレスチャネルで、第２の情報のセットを、前記基地局から前記リレーノードへと送る
ように構成された少なくとも１つのプロセッサモジュールと、
前記少なくとも１つのプロセッサに結合されたメモリと
を備える、装置。
［Ｃ６４］
前記共有チャネルは、ホワイトスペース（ＷＳ）チャネルと、認可共有マルチユーザ（ＡＳＭ）チャネルと、計測、科学、および測定用（ＩＳＭ）チャネルとのうちの１つを含む、
［Ｃ６３］に記載の装置。
［Ｃ６５］
ワイヤレス通信のための装置であって、
基地局とリレーノードとの間で使用するための共有チャネルを選択するための手段と、
前記共有チャネルで、第１の情報のセットを、前記第１の基地局から前記リレーノードへと送るための手段と、
レガシーワイヤレスチャネルで、第２の情報のセットを、前記第１の基地局から前記リレーノードへと送るための手段と
を備える、装置。
［Ｃ６６］
前記第１の情報のセットは、リレーノードバックホール情報と、リレーノード制御情報と、リレーノード無線ベアラデータとのうちの１つを含む、
［Ｃ６５］に記載の装置。
［Ｃ６７］
前記共有チャネルは、ホワイトスペース（ＷＳ）チャネルと、認可共有マルチユーザ（ＡＳＭ）チャネルと、計測、科学、および測定用（ＩＳＭ）チャネルとのうちの１つを含む、
［Ｃ６５］に記載の装置。
［Ｃ６８］
ワイヤレス通信のための方法であって、
リレーノードにおいて、使用される共有チャネルを定義する情報を基地局から受信することと、
前記共有チャネルで、情報のセットを、前記リレーノードから前記基地局へと送ることと
を備える、方法。
［Ｃ６９］
前記情報のセットは、リレーノードバックホール情報と、リレーノード制御情報と、リレーノード無線ベアラデータとのうちの１つを含む、
［Ｃ６８］に記載の方法。
［Ｃ７０］
前記共有チャネルは、ホワイトスペース（ＷＳ）チャネルと、認可共有マルチユーザ（ＡＳＭ）チャネルと、計測、科学、および測定用（ＩＳＭ）チャネルとのうちの１つを含む、
［Ｃ６８］に記載の方法。
［Ｃ７１］
前記情報のセットは、しきい値を下回る短い待ち時間をサポートするチャネルを要求する情報を備える、
［Ｃ６８］に記載の方法。
［Ｃ７２］
前記情報のセットは、しきい値を上回るデータレートをサポートするチャネルを要求する情報を備える、
［Ｃ６８］に記載の方法。
［Ｃ７３］
前記情報のセットの少なくとも一部を、前記リレーノードからユーザ機器（ＵＥ）へと送ることをさらに備える、
［Ｃ６８］に記載の方法。
［Ｃ７４］
前記情報のセットは、前記ＵＥに分配することを目的とした無線ベアラデータを含む、
［Ｃ７３］に記載の方法。
［Ｃ７５］
ユーザ機器（ＵＥ）から他の情報を受信することと、
前記共有チャネルを使用して前記基地局に前記他の情報の少なくとも一部を提供することと
をさらに備える、［Ｃ６８］に記載の方法。
［Ｃ７６］
命令が記憶されたコンピュータ読取可能な媒体を備えるコンピュータプログラム製品であって、前記命令は、コンピュータに、
リレーノードにおいて、使用される共有チャネルを定義する情報を基地局から受信させ、
前記共有チャネルで、情報のセットを、前記リレーノードから前記基地局へと送らせる
ための命令である、コンピュータプログラム製品。
［Ｃ７７］
ワイヤレス通信のための装置であって、
リレーノードにおいて、情報を通信するために使用される共有チャネルを定義する情報を基地局から受信し、
前記共有チャネルで、第１の情報のセットを、前記リレーノードから前記基地局へと送る
ように構成された少なくとも１つのプロセッサと、
前記少なくとも１つのプロセッサに結合されたメモリと
を備える、装置。
［Ｃ７８］
ワイヤレス通信のための装置であって、
リレーノードにおいて、情報を通信するために使用される共有チャネルを定義する情報を基地局から受信するための手段と、
前記共有チャネルで、第１の情報のセットを、前記リレーノードから前記基地局へと送るための手段と
を備える、装置。
［Ｃ７９］
前記共有チャネルは、ホワイトスペース（ＷＳ）チャネルと、認可共有マルチユーザ（ＡＳＭ）チャネルと、計測、科学、および測定用（ＩＳＭ）チャネルとのうちの１つを含む、
［Ｃ７８］に記載の装置。
［Ｃ８０］
ユーザ機器（ＵＥ）から他の情報を受信するための手段と、
前記共有チャネルを使用して前記基地局に前記他の情報の少なくとも一部を提供するための手段と
をさらに備える、［Ｃ７８］に記載の装置。
【図１】
0005934395.tif 000002
【図２】
0005934395.tif 000003
【図３】
0005934395.tif 000004
【図４】
0005934395.tif 000005
【図５】
0005934395.tif 000006
【図６】
0005934395.tif 000007
【図７】
0005934395.tif 000008
【図８】
0005934395.tif 000009
【図９】
0005934395.tif 000010
【図１０】
0005934395.tif 000011
【図１１】
0005934395.tif 000012
【図１２】
0005934395.tif 000013
【図１３】
0005934395.tif 000014
【図１４】
0005934395.tif 000015
【図１５】
0005934395.tif 000016